(57)【要約】  本開示は、柔らかな材料で作られ、本体にジグザグパターンの折り部を有し、ストラップの代わりに接着剤で着用者の顔に接着できる呼吸保護装置を提供する。折り部を有する呼吸保護装置は、平らに折り畳まれた形状から開いた使用可能な形状へ展開可能であり、開いた使用可能な形状から平らに折り畳まれた形状へ折り畳み可能であり、着用者の顔の動きと連動して呼吸保護装置が引っ張られても、着用者の顔に接着し続けるだけの柔軟性を有する。折り畳み構造は、保管の際の体積を減らせるだけでなく、呼吸保護装置の本体を支持して、完全な密封空間で快適に呼吸するための大きな空気室を提供できる。本開示はまた、バリア層を折りかつ固定し、接着剤をバリア層に塗布することによって呼吸保護装置を製造する方法を提供する。
2019526721.tif 000002
【特許請求の範囲】
【請求項１】
展開可能な呼吸保護装置であって、
第１セットの積み重ねられたパネルおよび第２セットの積み重ねられたパネルを有し、
各セットの積み重ねられたパネルは複数のパネルを含み、該複数のパネルは長さ方向の各辺において１つずつジグザグパターンでつながれ、幅方向の両辺においてともに固定され、
上記第１セットの積み重ねられたパネルおよび上記第２セットの積み重ねられたパネルは、各セットにおいて、最上部のパネルの長さ方向の各辺とつながれており、それによって、上記第１セットの積み重ねられたパネルおよび上記第２セットの積み重ねられたパネルは、該２つのセットの積み重ねられたパネルがつながる長さ方向の辺の２つの端によって定められる横軸の両側に位置し、
上記第１セットの積み重ねられたパネルおよび上記第２セットの積み重ねられたパネルに含まれる各パネルの中心が上記横軸から放射状に離れ、それによって、上記積み重ねられたパネルが積み重ねられた状態から取り出され、移行して、一定の角度を成してつながれ、かつ、上記各パネルの幅方向の各辺が近づいて、上記各パネルが移行してアーチ状になると、上記呼吸保護装置は展開して空気室を作る、展開可能な呼吸保護装置。
【請求項２】
上記第１セットおよび上記第２セットに含まれる最下部のパネル上に、上記呼吸保護装置の外端に沿って配置された接着剤をさらに有する、請求項１に記載の展開可能な呼吸保護装置。
【請求項３】
上記呼吸保護装置の一定の長さの端部部分に配置された接着剤の量は、同じ長さの他の端部部分に配置された接着剤の量より多い、請求項２に記載の展開可能な呼吸保護装置。
【請求項４】
上記接着剤は感圧性接着材料である、請求項２に記載の展開可能な呼吸保護装置。
【請求項５】
上記第１セットおよび上記第２セットに含まれる上記最下部のパネル上の密封層は、上記呼吸保護装置の端部のほぼ全体において、上記空気室の端部を密封する接着剤を含む、請求項１に記載の展開可能な呼吸保護装置。
【請求項６】
上記第１セットの積み重ねられたパネルおよび上記第２セットの積み重ねられたパネルの隣接する幅方向の各辺が、ともに、凹型の切り込みを形成し、上記呼吸保護装置の横に空間を作る、請求項１に記載の展開可能な呼吸保護装置。
【請求項７】
上記凹型の切り込みは、一組の直線が一本の曲線につながれている、請求項６に記載の展開可能な呼吸保護装置。
【請求項８】
上記横軸の中心に対してほぼ垂直で、上記複数のパネルすべてを横切る中央折り部をさらに有する、請求項１に記載の展開可能な呼吸保護装置。
【請求項９】
上記第１セットの積み重ねられたパネルの上記ジグザグパターンは、上記第２セットの積み重ねられたパネルの上記ジグザグパターンとほぼ対称的である、請求項１に記載の展開可能な呼吸保護装置。
【請求項１０】
展開可能な呼吸保護装置であって、
ほぼ平面形状である第１半分の本体および第２半分の本体を有し、
各半分の本体は、
外側に突き出る複数の山折り部と、
内側にへこむ複数の谷折り部と、
上記半分の本体を囲む外周と、を有し、
上記外周は、一組の折り部集約領域を有し、該折り部集約領域において、折り部の端が閉じられ固定されるように、該折り部が終わり、
上記山折り部と上記谷折り部は、ほぼ平行であり、交互に配置され、
上記第１半分の本体と上記第２半分の本体とが辺でつながれ、それによって、上記第１半分の本体と上記第２半分の本体とが、該第１半分の本体と該第２半分の本体がつながれる上記辺の２つの端部によって定められる横軸の両側に位置し、
上記第１半分の本体と上記第２半分の本体における上記一組の折り部集約領域のあいだにある外周部の各部分が、上記横軸に垂直な軌道に沿って互いから離れ、それによって、上記山折り部と上記谷折り部とが開き、上記山折り部と上記谷折り部のそれぞれの中心が上記横軸から放射状に離れ、かつ、各半分の本体における上記一組の折り部集約領域が互いに近づいて、それによって、上記第１半分の本体と上記第２半分の本体が移行してアーチ状になると、上記呼吸保護装置は展開して空気室を形成する、展開可能な呼吸保護装置。
【請求項１１】
上記第１半分の本体と上記第２半分の本体の底部に、上記呼吸保護装置のもっとも外側の端部に沿って配置された接着剤をさらに有する、請求項１０に記載の展開可能な呼吸保護装置。
【請求項１２】
上記呼吸保護装置の一定の長さの端部部分に配置された接着剤の量は、同じ長さの他の端部部分に配置された接着剤の量より多い、請求項１１に記載の展開可能な呼吸保護装置。
【請求項１３】
上記接着剤は感圧性接着材料である、請求項１１に記載の展開可能な呼吸保護装置。
【請求項１４】
上記第１半分の本体と上記第２半分の本体の底部上に密封層をさらに有し、該密封層は、上記呼吸保護装置の端部のほぼ全体において、上記空気室の端部を密封する接着剤を含む、請求項１０に記載の展開可能な呼吸保護装置。
【請求項１５】
上記第１半分の本体と上記第２半分の本体の隣接する折り部集約領域が、ともに、凹型の切り込みを形成し、上記呼吸保護装置の横に空間を作る、請求項１１に記載の展開可能な呼吸保護装置。
【請求項１６】
上記凹型の切り込みは、一組の直線が一本の曲線につながれている、請求項１５に記載の展開可能な呼吸保護装置。
【請求項１７】
上記横軸の中心に対してほぼ垂直で、上記複数の折り部すべてを横切る中央折り部をさらに有する、請求項１０に記載の展開可能な呼吸保護装置。
【請求項１８】
上記第１半分の本体における上記山折り部と上記谷折り部の配置は、上記第２半分の本体における上記山折り部と上記谷折り部の配置とほぼ対称的である、請求項１０に記載の展開可能な呼吸保護装置。
【請求項１９】
折り畳み可能な呼吸保護装置であって、
アーチ状の状態にある第１セットの各部品および第２セットの各部品を有し、
上記各部品は長さ方向の各辺で１つずつつながれて、空気室を有するドーム形状の本体を形成し、各セットにおいて幅方向の両辺でともに固定されており、
上記第１セットの各部品と上記第２セットの各部品は、各セットの最上部の部品の長さ方向の各辺とつながれており、それによって、上記第１セットの各部品と上記第２セットの各部品は、該２つのセットの各部品がつながれる長さ方向の辺の２つの端によって定められる横軸の両側に位置しており、
各セットの各部品の幅方向の両辺が互いに離れて上記各部品を平らにし、かつ、上記第１セットの各部品と上記第２セットの各部品の中心が上記横軸に向かって放射状に動き、最終的に各セットにおいて上記各部品がジグザグパターンで積み重ねられると、上記第１セットの各部品と上記第２セットの各部品は平らな状態へと移行し、上記呼吸保護装置は折り畳まれる、折り畳み可能な呼吸保護装置。
【請求項２０】
上記第１セットおよび上記第２セットに含まれる最下部の各部品上に、上記呼吸保護装置のもっとも外側の端部に沿って配置される接着剤をさらに有する、請求項１９に記載の折り畳み可能な呼吸保護装置。
【請求項２１】
上記呼吸保護装置の一定の長さの端部部分に配置された接着剤の量は、同じ長さの他の端部部分に配置された接着剤の量より多い、請求項２０に記載の折り畳み可能な呼吸保護装置。
【請求項２２】
上記接着剤は感圧性接着材料である、請求項２０に記載の折り畳み可能な呼吸保護装置。
【請求項２３】
上記第１セットおよび上記第２セットに含まれる最下部の各部品上に密封層をさらに有し、該密封層は、上記呼吸保護装置の端部のほぼ全体において、上記空気室の端部を密封する接着剤を含む、請求項１９に記載の折り畳み可能な呼吸保護装置。
【請求項２４】
上記第１セットの積み重ねられた各部品および上記第２セットの積み重ねられた各部品の隣接する幅方向の各辺が、ともに、凹型の切り込みを形成し、上記呼吸保護装置の横に空間を作る、請求項１９に記載の折り畳み可能な呼吸保護装置。
【請求項２５】
上記凹型の切り込みは、一組の直線が一本の曲線につながれている、請求項２４に記載の折り畳み可能な呼吸保護装置。
【請求項２６】
上記横軸の中心に対してほぼ垂直で、上記複数の部品すべてを横切る中央折り部をさらに有する、請求項１９に記載の折り畳み可能な呼吸保護装置。
【請求項２７】
上記第１セットの積み重ねられた各部品の上記ジグザグパターンは、上記第２セットの積み重ねられた各部品の上記ジグザグパターンとほぼ対称的である、請求項１９に記載の折り畳み可能な呼吸保護装置。
【請求項２８】
上記第１セットの各部品および上記第２セットの各部品は、最初、上記各部品が平らになっている平らな状態にあり、
上記第１セットの各部品および上記第２セットの各部品に含まれる上記各部品の中心が上記横軸から放射状に離れ、それによって、上記積み重ねられた各部品が積み重ねられた状態から取り出され、移行して、一定の角度を成してつながれ、かつ、上記各部品の幅方向の各辺が近づいて、上記各部品が移行してアーチ状になると、上記呼吸保護装置は展開して、アーチ状の状態の上記ドーム形状の本体を形成する、請求項１９に記載の折り畳み可能な呼吸保護装置。
【請求項２９】
折り畳み可能な呼吸保護装置であって、
ほぼアーチ状の状態にある第一半分の本体および第二半分の本体を有し、
各半分の本体は、
外側に突き出る複数の山折り部と、
内側にへこむ複数の谷折り部と、
上記半分の本体を囲む外周と、を有し、
上記外周は、一組の折り部集約領域を有し、該折り部集約領域において、折り部の端が閉じられ固定されるように、該折り部が終わり、
上記第１半分の本体と上記第２半分の本体とが辺でつながれて空気室を形成し、それによって、上記第１半分の本体と上記第２半分の本体とが、該２つの半分の本体がつながれる上記辺の２つの端によって定められる横軸の両側に位置し、
各半分の本体の上記一組の折り部集約領域が互いから離れ、それによって各折り部の中心が上記横軸に向かって放射状に移動し、上記各折り部が移行してまっすぐになると、上記呼吸保護装置は平らな状態に移行し、折り畳まれる、折り畳み可能な呼吸保護装置。
【請求項３０】
上記第１半分の本体および上記第２半分の本体の底部上に、上記呼吸保護装置のもっとも外側の端部に沿って配置された接着剤をさらに有する、請求項２９に記載の折り畳み可能な呼吸保護装置。
【請求項３１】
上記呼吸保護装置の一定の長さの端部部分に配置された接着剤の量は、同じ長さの他の端部部分に配置された接着剤の量より多い、請求項３０に記載の折り畳み可能な呼吸保護装置。
【請求項３２】
上記接着剤は感圧性接着材料である、請求項３０に記載の折り畳み可能な呼吸保護装置。
【請求項３３】
上記第１半分の本体および上記第２半分の本体の底部上に密封層をさらに有し、該密封層は、上記呼吸保護装置の端部のほぼ全体において、上記空気室の端部を密封する接着剤を含む、請求項３０に記載の折り畳み可能な呼吸保護装置。
【請求項３４】
上記第１半分の本体および上記第２半分の本体の隣接する折り部集約領域が、ともに、凹型の切り込みを形成し、上記呼吸保護装置の横に空間を作る、請求項２９に記載の折り畳み可能な呼吸保護装置。
【請求項３５】
上記凹型の切り込みは、一組の直線が一本の曲線につながれている、請求項３４に記載の折り畳み可能な呼吸保護装置。
【請求項３６】
上記横軸の中心に対して垂直で、上記複数の折り部すべてを横切る中央折り部をさらに有する、請求項２９に記載の折り畳み可能な呼吸保護装置。
【請求項３７】
上記第１半分の本体における上記山折り部と上記谷折り部の配置は、上記第２半分の本体における上記山折り部と上記谷折り部の配置とほぼ対称的である、請求項２９に記載の折り畳み可能な呼吸保護装置。
【請求項３８】
上記第１半分の本体および上記第２半分の本体は、最初、上記本体が平らになっている平らな状態にあり、
上記第１半分の本体と上記第２半分の本体における上記一組の折り部集約領域のあいだにある外周部の各部分が、上記横軸に垂直な軌道に沿って互いから離れ、それによって、上記山折り部と上記谷折り部とが開き、上記山折り部と上記谷折り部のそれぞれの中心が上記横軸から放射状に離れ、かつ、各半分の本体における上記一組の折り部集約領域が互いに近づいて、それによって、上記第１半分の本体と上記第２半分の本体が移行してアーチ状になると、上記呼吸保護装置は展開してアーチ状の状態の上記ドーム形状の本体を形成する、請求項２９に記載の折り畳み可能な呼吸保護装置。
【請求項３９】
柔軟性のある呼吸保護装置であって、
柔軟性のある材料でできた本体と、
上記本体の端部に形成された接着剤と、を有し、
上記接着剤は、上記呼吸保護装置を対象物上の２つの別々の部位に接着させるために、互いに離れて位置する第１部分および第２部分を有し、
上記別々の部位が互いから離れるあいだ、上記第１部分および上記第２部分は上記別々の部位と連動して動き、上記別々の部位が動く方向に上記本体が広がり、それによって、上記呼吸保護装置は上記対象物に接着し続ける、柔軟性のある呼吸保護装置。
【請求項４０】
上記第１部分および上記第２部分がともに、上記呼吸保護装置のほぼすべての端部を覆う、請求項３９に記載の柔軟性のある呼吸保護装置。
【請求項４１】
上記呼吸保護装置の一定の長さの端部部分に配置された接着剤の量は、同じ長さの他の端部部分に配置された接着剤の量より多い、請求項３９に記載の柔軟性のある呼吸保護装置。
【請求項４２】
上記接着剤は感圧性接着材料である、請求項３９に記載の柔軟性のある呼吸保護装置。
【請求項４３】
上記柔軟性のある材料は、上記本体の外周でともに密封された複数の通気層を含む、請求項３９に記載の柔軟性のある呼吸保護装置。
【請求項４４】
上記本体は、第１セットの各アーチ状部品および第２セットの各アーチ状部品を有し、
各セットの各アーチ状部品は、長さ方向の各辺で１つずつつながれて上記本体を形成するとともに幅方向の両辺でともに固定されている複数の部品を含み、
上記第１セットの各アーチ状部品および上記第２セットの各アーチ状部品は、各セットの最上部のパネルの長さ方向の各辺とつながれ、それによって、上記第１セットの各アーチ状部品および上記第２セットの各アーチ状部品は、該２つのセットの各アーチ状部品がつながる長さ方向の辺の２つの端によって定められる横軸の両側に位置し、
上記本体が広がるあいだ、上記第１セットおよび上記第２セットに含まれる各アーチ状部品の一部が、上記別々の部位が動く方向に動き、２つの隣接するアーチ状部品のあいだの少なくとも１つの角が増大する、請求項３９に記載の柔軟性のある呼吸保護装置。
【請求項４５】
上記第１セットの積み重ねられた各部品および上記第２セットの積み重ねられた各部品の隣接する幅方向の各辺は、ともに、凹型の切り込みを形成し、上記呼吸保護装置の横に空間を作る、請求項４４に記載の柔軟性のある呼吸保護装置。
【請求項４６】
上記横軸の中心に対してほぼ垂直で、上記複数のパネルすべてを横切る中央折り部をさらに有する、請求項４４に記載の柔軟性のある呼吸保護装置。
【請求項４７】
上記第１セットおよび上記第２セットに含まれる上記各アーチ状部品の配置は、互いにほぼ対称的である、請求項４４に記載の柔軟性のある呼吸保護装置。
【請求項４８】
上記本体は、ほぼアーチ形状である第１半分の本体および第２半分の本体を有し、
各半分の本体は、
外側に突き出る複数の山折り部と、
内側にへこむ複数の谷折り部と、
上記半分の本体を囲む外周と、を有し、
上記外周は、一組の折り部集約領域を有し、該折り部集約領域において、折り部の端が閉じられ固定されるように、該折り部が終わり、
上記山折り部と上記谷折り部は交互に配置され、
上記本体が広がるあいだ、上記第１半分の本体と上記第２半分の本体の一部は、上記別々の部位が動く方向に動き、少なくとも１つの折り部が開く、請求項３９に記載の柔軟性のある呼吸保護装置。
【請求項４９】
上記第１半分の本体と上記第２半分の本体の隣接する折り部集約領域が、ともに、凹型の切り込みを形成し、上記呼吸保護装置の横に空間を作る、請求項４８に記載の柔軟性のある呼吸保護装置。
【請求項５０】
上記横軸の中心に対して垂直で、上記複数の折り部すべてを横切る中央折り部をさらに有する、請求項４８に記載の柔軟性のある呼吸保護装置。
【請求項５１】
上記第１半分の本体における上記山折り部と上記谷折り部の配置は、上記第２半分の本体における上記山折り部と上記谷折り部の配置とほぼ対称的である、請求項４８に記載の柔軟性のある呼吸保護装置。
【請求項５２】
呼吸保護装置であって、
１つのバリア層を有する本体と、
上記本体の端部に塗布される、上記呼吸保護装置を対象物に接着させるための接着剤と、を有し、
上記本体は、第１セットのジグザグ折り部と第２セットのジグザグ折り部を、上記バリア層の長さ方向の両辺に形成し、上記第１セットの折り部の両端を上記バリア層の幅方向の両辺に固定して該折り部の両端を閉じた状態にし、上記第２セットの折り部の両端を上記バリア層の幅方向の両辺に固定して該折り部の両端を閉じた状態にすることによって作られる、呼吸保護装置。
【請求項５３】
上記接着剤は、上記呼吸保護装置のほぼすべての端部に沿って塗布される、請求項５２に記載の呼吸保護装置。
【請求項５４】
上記呼吸保護装置の上記端部に沿った一定の長さの部分に塗布された接着剤の量は、同じ長さの他の部分に塗布された接着剤の量より多い、請求項５２に記載の呼吸保護装置。
【請求項５５】
上記接着剤は、交差非線形軌道であって、該軌道中に１つ以上の交差点を含む軌道のかたちで塗布される、請求項５２に記載の呼吸保護装置。
【請求項５６】
上記接着剤は感圧性接着材料である、請求項５２に記載の呼吸保護装置。
【請求項５７】
上記バリア層の幅方向の各辺が切断されて、凹型の切り込みを形成し、上記呼吸保護装置の横に空間を作る、請求項５２に記載の呼吸保護装置。
【請求項５８】
上記凹型の切り込みは、一組の直線が一本の曲線につながれている、請求項５７に記載の呼吸保護装置。
【請求項５９】
上記第１セットに含まれる上記ジグザグ折り部は、上記第２セットに含まれる上記ジグザグ折り部とほぼ対称的である、請求項５２に記載の呼吸保護装置。
【請求項６０】
上記呼吸保護装置は上記本体の中心で折られ、該中心はすべての上記折り部を垂直に横切る折り部となっている、請求項５２に記載の呼吸保護装置。
【請求項６１】
上記折られた呼吸保護装置の内面において上記接着剤が剥離ライナーと接触しており、
上記呼吸保護装置は包装袋の中に包装されている、請求項５２に記載の呼吸保護装置。
【請求項６２】
呼吸保護装置を製造する方法であって、
１層のバリア層を用意する工程と、
上記バリア層の長さ方向の両辺に第１セットのジグザグ折り部と第２セットのジグザグ折り部とを形成する工程と、
上記第１セットの折り部の両端を、上記バリア層の幅方向の両辺に固定して、該折り部の両端を閉じた状態にする工程と、
上記第２セットの折り部の両端を、上記バリア層の幅方向の両辺に固定して、該折り部の両端を閉じた状態にする工程と、
上記呼吸保護装置を対象物に接着させるために、接着剤を上記バリア層の端部に塗布する工程と、を含む、方法。
【請求項６３】
上記接着剤は、上記呼吸保護装置のほぼすべての端部に沿って塗布される、請求項６２に記載の呼吸保護装置を製造する方法。
【請求項６４】
上記呼吸保護装置の上記端部に沿った一定の長さの部分に塗布された接着剤の量は、同じ長さの他の部分に塗布された接着剤の量より多い、請求項６２に記載の呼吸保護装置を製造する方法。
【請求項６５】
上記接着剤は、交差非線形軌道であって、該軌道中に１つ以上の交差点を含む軌道のかたちで塗布される、請求項６２に記載の呼吸保護装置を製造する方法。
【請求項６６】
上記接着剤は感圧性接着材料である、請求項６２に記載の呼吸保護装置を製造する方法。
【請求項６７】
上記バリア層の幅方向の両辺を切断して、凹型の切り込みを形成し、上記呼吸保護装置の横に空間を作る工程をさらに含む、請求項６２に記載の呼吸保護装置を製造する方法。
【請求項６８】
上記凹型の切り込みは、一組の直線が一本の曲線につながれている、請求項６７に記載の呼吸保護装置を製造する方法。
【請求項６９】
上記第１セットに含まれる上記ジグザグ折り部は、上記第２セットに含まれる上記ジグザグ折り部とほぼ対称的である、請求項６２に記載の呼吸保護装置を製造する方法。
【請求項７０】
上記呼吸保護装置を半分に折って上記接着剤が内面に来るようにする工程と、
上記接着剤のあいだに剥離ライナーを置く工程と、をさらに含む、請求項６２に記載の呼吸保護装置を製造する方法。
【発明の詳細な説明】
【発明の詳細な説明】
【０００１】
〔技術分野〕
本発明は、概して、ストラップなしに使用者に付着し得、使用中、ボウル形状の空気室を形成し、包装時には平らに折り畳まれる、呼吸保護装置に関する。
〔背景技術〕
呼吸保護装置は、環境不純物、汚染物質、または病原体が使用者の気道に侵入するのを防ぐため、着用者の気道を覆うように着用される。例えば、大気汚染環境に居住する人々は、呼吸保護装置を用いて、有毒な浮遊粒子を吸い込むのを防いだり、顔の皮膚が大気にさらされるのを防いだりする。呼吸保護装置は、着用者の呼吸からの空気流をブロックするのにも用いられることがある。例えば、患者が呼吸保護装置を用いて病原体が広がるのを防ぐこともあるし、手術室またはクリーンルームで働く人々が呼吸保護装置を用いて唾液粒子が周囲に広がらないようにすることもある。
【０００２】
従来の呼吸保護装置は、耳または頭部用の１本または複数本のハーネスストラップによって、着用者の顔に配置される。しかし、ストラップは、十分な濾過作用を行うようマスクを使用者の顔に継ぎ目なく付着させられないことがあり、また、着用者に不快な圧迫感を与えることがある。ハーネスストラップから張力を受けると、柔軟性のある材料で作られたマスクは変形し、周囲に空間が生じる。硬い材料で作られたマスクは張力を受けてもその形状を維持するかもしれないが、硬いマスクは誰もの顔に合うわけではなく、やはり空間が生じるだろう。未濾過の汚染された空気が、そうした空間を通って容易に吸入される。一方、ある着用者のサイズに合うハーネスストラップは、別の着用者の耳または頭部に痛みをもたらし、マスクを用いる意欲を低下させるかもしれない。
【０００３】
マスクに何らかの付属品を付けることで、未濾過の空気を隔てることができる。例えば、スポンジまたは他の柔らかい材料をマスクの周囲に設置し、金属片を鼻梁に設置することで、マスクと着用者の顔との密封性を高めうる。しかし、付属品を加えることで、製造がより複雑になり、製造コストが上がる。付属品はまた、マスクの包装の嵩を増すかもしれない。
【０００４】
本開示は、柔らかい材料で作られ、本体にジグザグパターンの折り部を有し、ストラップの代わりに接着剤で着用者の顔に貼り付け可能な、呼吸保護装置を提供する。折り部を有する呼吸保護装置は、広げると、平らに折り畳まれた形状から開いた使用可能な形状へと移行でき、折り畳むと、開いた使用可能な形状から平らに折り畳まれた形状へと移行でき、柔軟なので、呼吸保護装置が着用者の顔の動きに引っ張られても着用者の顔に張り付き続ける。折り畳み形状は、保管の際の体積を減らすだけでなく、呼吸保護装置の本体を支持して、完全に密封された空間で快適に呼吸するための大きな空気室を提供できる。本開示はまた、バリア層を折り畳み固定して、接着剤を該バリア層に塗布することにより、上記呼吸保護装置を製造する方法も提供する。
〔図面の簡単な説明〕
本開示の実施形態を、添付の図面を参照しつつ説明する。
【０００５】
図１は、本開示の一実施形態に係る、ストラップのない呼吸保護装置が、使用者の顔に配置された状態を示す。
【０００６】
図２は、本開示の一実施形態に係る、ストラップのない展開可能な呼吸保護装置が、平らに折り畳まれた形状にある正面図を示す。
【０００７】
図３は、本開示の一実施形態に係る、ストラップのない展開可能な呼吸保護装置が、平らに折り畳まれた形状にある背面図を示す。
【０００８】
図４は、本開示の一実施形態に係る、ストラップのない展開可能な呼吸保護装置が、図２に示す平らに折り畳まれた形状にあるときの、切断線２−２’における断面図を示す。
【０００９】
図５は、本開示の一実施形態に係る、ストラップのない展開可能な呼吸保護装置が、平らに折り畳まれた形状にある拡大正面部分図を示す。
【００１０】
図６は、本開示の一実施形態に係る、ストラップのない展開可能な呼吸保護装置が、平らに折り畳まれた形状にあるときの、縦方向からの側面図を示す。
【００１１】
図７は、本開示の一実施形態に係る、ストラップのない展開可能な呼吸保護装置が、平らに折り畳まれた形状にある拡大背面部分図を示す。
【００１２】
図８は、本開示の一実施形態に係る、ストラップのない展開可能な呼吸保護装置の、平らに折り畳まれた形状から開いた使用可能な形状への移行を示す。
【００１３】
図９は、本開示の一実施形態に係る、ストラップのない折り畳み可能な呼吸保護装置が、開いた使用可能な形状にある正面図を示す。
【００１４】
図１０は、本開示の一実施形態に係る、ストラップのない折り畳み可能な呼吸保護装置が、開いた使用可能な形状にあるときの、幅方向からの側面図を示す。
【００１５】
図１１は、本開示の一実施形態に係る、ストラップのない折り畳み可能な呼吸保護装置が、開いた使用可能な形状にある背面図を示す。
【００１６】
図１２は、本開示の一実施形態に係る、ストラップのない折り畳み可能な呼吸保護装置の、弓なりの状態から平らになった状態への第１の移行を示す。
【００１７】
図１３は、本開示の一実施形態に係る、ストラップのない折り畳み可能な呼吸保護装置の、弓なりの状態から平らになった状態への第２の移行を示す。
【００１８】
図１４は、本開示の一実施形態に係る、ストラップのない展開可能な呼吸保護装置が、半分折り畳まれた形状で、包装袋に保管されている状態を示す。
【００１９】
図１５は、本開示の一実施形態に係る、ストラップのない折り畳み可能な呼吸保護装置が、開いた使用可能な形状にあるときの、線２−２’で切り裂いた状態を示す。
【００２０】
図１６は、本開示の一実施形態に係る、鍵穴形状の凹型の切り込みを示す。
〔発明を実施するための形態〕
図１に示す本開示の一実施形態において、開いた使用可能な形状にある、ストラップのない呼吸保護装置１００は、使用者の口と鼻を覆うボウル形状の空気室を形成し、該呼吸保護装置の周囲で使用者の顔に付着して、使用者と密着状態になっている。本開示はまた、本開示のいくつかの実施形態に係る呼吸保護装置、例えば、手術用マスク、クリーンルーム用マスク、防塵マスク、呼吸加温マスク、フェイスシールド、およびさまざまな顔カバーであってもよい。
【００２１】
図２および図３に示す本開示の一実施形態において、平らに折り畳まれた形状にある、ストラップのない展開可能な呼吸保護装置１００の正面図および背面図は、平たくされた状態の本体１１０と、該本体１１０を囲む密封外周１２０と、中央蝶番構造１３０と、該密封外周１２０の実質的に後ろ側にある接着剤１４０とを有しうる。本体１１０はさらに、一組の上部パネル（第１上部パネル１１１ａおよび第２上部パネル１１１ｂ）と、一組の下部パネル（第１下部パネル１１２ａおよび第２下部パネル１１２ｂ）と、該上部パネル１１１ａおよび１１１ｂと該下部パネル１１２ａおよび１１２ｂとのあいだにある少なくとも一組の中間パネル（図示せず）とを有する。上記のパネル（上部パネル１１１ａおよび１１１ｂ、中間パネル、下部パネル１１２ａおよび１１２ｂ）のうち２つが、それぞれの長さ方向の各辺でつなぎ合わされて、折り部を形成することができ、該折り部は、折り曲げ線と、該折り曲げ線に沿った隣接領域（これは、各隣接パネルの実質的な辺である）とを有する。いくつかの実施において、上記各隣接パネルの各組は、折り部によって分けられているが１つのピースとして形成されてよく、他の実施では、上記各隣接パネルの各組は、縫い目、溶接部、または接着によってさらにつなぎ合わされてもよい。図２および図３を再度参照すると、呼吸保護装置の中心から離れる側にあり、外側へ突出する折り曲げ線を有する折り部は、山折り部１１４と名付ける。呼吸保護装置の中心に近い側にあり、内側にへこんでいる折り曲げ線を有する折り部は、谷折り部１１５と名付ける。本開示の一実施形態において、上部パネル１１１ａおよび１１１ｂ（最上部のパネルである）は、それぞれの長さ方向の辺で平行につなぎ合わされて、該２つの上部パネル１１１ａおよび１１１ｂが、該２つの上部パネル１１１ａおよび１１１ｂが合わさる長さ方向の辺の２つの端部によって定められる横軸（点線で示す）の両方の側に位置してよい。いくつかの実施では、上部パネル１１１ａおよび１１１ｂはさらに、１つのピースとして形成されてよい。本開示の一実施形態では、上部パネル１１１ａおよび１１１ｂはそれぞれ、山折り部１１４ａおよび１１４ｂを介して、複数の中間パネルのうち隣接する最上部のものとつなぎ合わさってよい。下部パネル１１２ａおよび１１２ｂはそれぞれ、谷折り部１１５ａおよび１１５ｂを介して、複数の中間パネルのうち隣接する最下部のものとつなぎ合わさってよい。
【００２２】
図４に示す本開示の一実施形態では、平らに折り畳まれた形状の呼吸保護装置の、切断線２‐２’における断面図は、展開可能な呼吸保護装置を構成する積み重ねられたパネルの第１セットおよび第２セットを示す。積み重ねられたパネルの各セットでは、上部パネル１１１と、１つまたは複数の中間パネル１１３と、下部パネル１１２とが、長さ方向の辺で、ひとつずつ、ジグザグパターンでつながっており、幅方向の両辺でともに固定されている。積み重ねられたパネルの第１セットおよび第２セットは、それぞれのセットにおいて、最上部のパネル、すなわち上部パネル１１１ａおよび１１１ｂの長さ方向の辺とつながっており、それによって、積み重ねられたパネルの２つのセットがつながる長さ方向の辺の２つの端によって定められる横軸の両側に、積み重ねられたパネルの第１セットおよび第２セットが位置する。積み重ねられたパネルの第１セットが合わさって、本体１１０の第１半分を形成し、積み重ねられたパネルの第２セットが合わさって、本体１１０の第２半分を形成する。上部パネル１１１ａおよび１１１ｂはそれぞれ、山折り部１１４ａおよび１１４ｂを介して、複数の中間パネル１１３のうち隣接する最上部のものとつなぎ合わさってよい。下部パネル１１２ａおよび１１２ｂはそれぞれ、谷折り部１１５ａおよび１１５ｂを介して、複数の中間パネル１１３のうち隣接する最下部のものとつなぎ合わさってよい。中間パネル１１３のそれぞれは、山折り部１１４または谷折り部１１５を介して、隣接する中間パネル１１３と一つずつつながってよい。いくつかの実施では、積み重ねられたパネルの２つのセットのジグザグパターンは、互いにほぼ対称的である。両方のセットにおける、対称的なジグザグパターンを有するパネルの数は同じである。対称的なジグザグパターンを有するそれぞれのセットにおける対応する位置にある２つのパネルは、ほぼ同じ形状および面積を有する。対称的なジグザグパターンを有するそれぞれのセットにおける対応する位置にある２つの折り部は、同じ種類の折り部、すなわち山折り部１１４または谷折り部１１５である。本開示の一実施形態において、上部パネル１１１ａおよび１１１ｂと中間パネル１１３は、面積がほぼ等しくてよい。本開示の一実施形態において、使用可能な形状において特定の形状の空気室を形成するために、上部パネル１１１ａおよび１１１ｂと中間パネル１１３は、下部パネル１１２ａおよび１１２ｂよりも面積が小さくてよい。いくつかの実施において、上部パネル１１１ａおよび１１１ｂ、中間パネル１１３、および下部パネル１１２ａおよび１１２ｂは、面積が異なってもよい。例えば、下部パネル１１２ａおよび１１２ｂから、中間パネル１１３、そして上部パネル１１１ａおよび１１１ｂへと、面積が次第に減少してよい。いくつかの実施において、使用可能な形状において特定の形状の空気室を形成するために、第１上部パネル１１１ａおよび第１上部パネル１１２ａのあいだの中間パネル１１３の数を、第２上部パネル１１１ｂおよび第１下部パネル１１２ｂのあいだの中間パネル１１３の数より多くしてもよいし、少なくしてもよい。
【００２３】
図５および図６を参照すると、密封外周１２０は端部密封１２１を含んでよく、本体１１０を囲んでよい。本開示の一実施形態では、端部密封は、合わさって本体１１０を形成する多層のシートを圧迫し固定する、任意の形状の表面のくぼみであってよい。いくつかの実施では、密封外周１２０は幅１〜１５ｍｍでよく、密封効果を高めるとともに使用可能な形状の空気室の空間を圧迫しないため、特に幅８ｍｍでよい。本開示の一実施形態では、端部密封１２１は、点１２１ａの形状や、線１２１ｂの形状や、文字１２１ｃの形状でよく、使用者の顔に付着する際に、それぞれ異なる密封力および異なる硬さをもたらす。いくつかの実施において、端部密封は、２次元の図の形状でよい。密封外周１２０は、呼吸保護装置１００の対応する横辺に、一組の折り部集約領域１２２を有してよい。対応する辺の折り部集約領域１２２のそれぞれは、山折り部１１４および谷折り部１１５を受ける密封外周１２０のそれぞれの部分の結合によってそれぞれ定められてよい。折り部集約領域１２２は、複数の折り部１１４および１１５と、複数のパネル１１１、１１２、１１３を、幅方向の側で封じてよい。したがって、折り部集約領域１２２を互いに向かって動かすことにより、パネル１１１、１１２、および１１３と折り部１１４および１１５は曲がり、それによって、使用可能な形状の空気室を形成し得る。
【００２４】
本開示の一実施形態では、呼吸保護装置１００は、ほぼ平面形状である、第１半分の本体および第２半分の本体とを有する。本体の各半分は、外側に突き出る複数の山折り部１１４と、内側にへこむ複数の谷折り部１１５と、本体の半分を囲む外周１２０と、を有する。山折り部１１４と谷折り部１１５は、ほぼ平行であり、交互に配置されている。外周１２０は一組の折り部集約領域１２２を有しており、該折り部集約領域１２２において、折り部の端が閉じられ固定されるように、該折り部が終わる。第１半分の本体および第２半分の本体とが辺でつながれ、それによって、第１半分の本体および第２半分の本体とが、それらがつながれる辺の２つの端部によって定められる横軸の両側に位置する。
【００２５】
本開示の一実施形態では、線形状の端部密封１２１ｂは、点形状の端部密封１２１ａよりも高い密封力と硬さを提供する。異なる形状および数の端部密封１２１の組み合わせ（例えば、端部密封１２１ａ、１２１ｂ、および１２１ｃの組み合わせ）が、呼吸保護装置１００が使用可能な形状と平らに折り畳まれた形状とのあいだを移行する際に大きな力に耐える、密封外周１２０の特定の領域（例えば、折り部集約領域１２２）の中に含まれてよい。
【００２６】
本開示の一実施形態では、折り部集約領域１２２は、呼吸保護装置１００の横に空間を作る凹型の切り込みを形成し、それによって、呼吸保護装置１００の移行のあいだ、パネル１１１、１１２、および１１３と、折り部１１４および１１５の移動を可能にしてよい。空間を設けることにより、折り部集約領域１２２が外側または内側に曲がって呼吸保護装置１００と着用者とのあいだに空気の通路を作り出すのを防げる。いくつかの実施では、凹型の切り込みは、台形、三角形、または半円の形状の空間を作る。いくつかの実施では、凹型の切り込みは、曲線につながれた一組の直線を有する。２本の線は、移行時に互いに接近し、移行が終わると平行になってもよい。移行時、曲線は曲がり、呼吸保護装置１００上に不快な尖った構造ができるのを防ぐ。いくつかの実施では、１本の曲線につながれた２本の直線を含む凹型の切り込みは、図１６の点線に示すように、鍵穴の形状でよい。
【００２７】
本開示の一実施形態において、図２および図６を参照すると、蝶番構造１３０は、呼吸保護装置１００をほぼ半分に折るための折り部と、該折り部のそばの曲線構造（図６参照）とによって定められてよい。蝶番構造１３０は、横軸の中心に対して垂直でよい。蝶番構造１３０は、複数のパネルおよび折り部すべてを横断してよい。蝶番構造１３０は、使用時に使用者の顔に対する位置決め基準であってよい。
【００２８】
図３および図７に示す本開示の一実施形態では、接着剤１４０を呼吸保護装置１００のもっとも下側のパネルにもっとも外側の端部沿いに配置し、呼吸保護装置１００を使用者との密封状態にする。いくつかの実施では、接着剤１４０は、呼吸保護装置１００を使用者の顔における２つの離れた領域に接着させるために、呼吸保護装置１００上で互いに離れて位置する２つの部分を有する。いくつかの実施において、接着剤１４０は、開いた使用可能な形状にある呼吸保護装置１００によって形成される空気室を密封するために呼吸保護装置１００の全端部上に配置される、ほぼ連続した密封層であってよい。接着剤１４０の幅は変わってよく、粘着力は層１４０の幅に積極的に関連してよい。接着剤１４０は最小の幅で十分な粘着力を提供してよく、最大の幅で空気室を形成する最小の空間を提供してよい。接着剤１４０の幅は、使用者の呼吸を妨げるほど空気室の体積を減らしてはならない。本開示の一実施形態では、接着剤１４０の幅は、密封外周１２０の幅に近くてよい。いくつかの実施では、接着剤１４０は、幅が１〜１５ｍｍでよく、特に、密封外周１２０の幅に基づいて、８ｍｍでよい。
【００２９】
粘着性材料を、呼吸保護装置１００上に、一種の軌道として配置してもよい。該軌道は、接着剤１４０の接着力と表面構造に影響しうる。粘着性材料を、呼吸保護装置１００の端部にほぼ沿った非線形軌道として配置してもよい。非線形軌道は、曲線や回転を含んでよく、さらに、非交差非線形軌道（例えば、ぎざぎざの軌道）でもよいし、または、軌道中に１つ以上の交差点を含む交差非線形軌道（例えば、図７に示す螺旋軌道１４１ａおよび１４１ｂ）でもよい。交差非線形軌道中の交差点における粘着性材料は、近傍の構造よりも分厚くてもよい。
【００３０】
接着剤１４０の接着力は、層を分厚くする、または層の幅を広げることによって強くしてもよい。交差非線形配置軌道の位相または粘着性材料の量が、接着剤１４０の厚さに影響し得る。例えば、図７を参照すると、粘着性材料のコンパクトな螺旋配置軌道１４１ａは、より多くの交差点と、それに対応したより分厚い構造を有し、それによってより強い接着力を提供し得る。本開示の一実施形態において、呼吸保護装置１００の端部に沿った一定の長さの部分に塗布する接着剤の量は、同じ長さの他の部分に塗布する接着剤の量より多い。いくつかの実施において、コンパクトな螺旋配置軌道１４１ａを、２つの折り部集約領域１２２の後ろ側に設けて、密封外周１２０の残りの領域の後ろ側におけるゆるい螺旋配置軌道１４１ｂよりも強い接着力を与えてよい。いくつかの実施において、より多くの皮膚の分泌物に接触する領域（例えば、鼻の皮膚に接触する領域）には、より多くの接着剤を塗ってよい。
【００３１】
非線形配置軌道または排出量の異なる配置軌道によって形成される接着剤１４０の表面は、排出量が一定の線形排出軌道によって形成される接着剤１４０の表面に比べて相対的に不均一であってよい。例えば、図３および図７に示す粘着性材料による螺旋配置軌道１４１ａおよび１４１ｂにより、接着剤１４０の表面を不均一にし得る。接着剤１４０の表面を不均一にすることにより、十分な接着力を提供しつつ、分泌物（例えば、空気や液体）を皮膚から放出する空間を作り得る。
【００３２】
いくつかの実施では、接着剤１４０は、（１）永続的な粘着性、（２）指圧以下の接着力、（３）被接着物にくっつき続ける十分な能力、および（４）十分な粘着力を含む特定の性質を処理する感圧性接着剤であってよい。粘着性材料は、呼吸保護装置と使用者の皮膚のあいだに適切な接着力を提供するポリマー（例えば、さまざまな（メタ）アクリレート系コポリマー、天然ゴム、合成ゴム、シリコーン）であってよい。粘着性材料は使用者の皮膚から剥離可能であってよい。本開示の一実施形態において、粘着性材料は、開いた使用可能な形状において使用者の皮膚に取り付けられるあいだ高い接着性を提供する温度に積極的に関連する粘着性を有する材料であってよい。
【００３３】
図８を参照すると、ストラップのない呼吸保護装置１００が平らに折り畳まれた形状から開いた使用可能な形状へ移行する様子が示されている。本体１１０は、平らにされた状態からアーチ状の状態へと移行し、空気室を形成する。平らに折り畳まれた形状の呼吸保護装置１００は、下部パネル１１２ａおよび１１２ｂそれぞれまたは密封外周１２０のつながれた部分それぞれが、横軸と折り部１１４および１１５に対して垂直かつ横軸と折り部１１４および１１５から離れる方向に向かうほぼ逆行性の力１５１ａおよび１５１ｂ（点線の矢印で示す）を受けるあいだ、移行し得る。呼吸保護装置１００の移行時、下部パネル１１２ａおよび１１２ｂはそれぞれ力１５１ａおよび１５１ｂの方向に沿って動き得、複数のつながれた中間パネル１１３を外側に引っ張り得る。パネル１１１、１１２、および１１３の中心は、横軸から放射状に移動し、それによってパネル１１１、１１２、および１１３が積まれた状態から取り出され、移行して、一定の角度を成しつつつなぎ合わさる。山折り部１１４および谷折り部１１５が開き、各山折り部１１４および谷折り部１１５の中心が、横軸から放射状に離れる。パネル１１１、１１２、および１１３はある程度の角度で徐々に開かれる。蝶番構造１３０は動くパネル１１１、１１２、および１１３とともに延伸し得、アーチ型に成り得る。しかし、パネル１１１、１１２、および１１３と折り部１１４および１１５は折り部集約領域１２２で密封され得るので、パネル１１１、１１２、および１１３と折り部１１４および１１５は徐々にアーチ型になり、折り部集約領域１２２を引っ張って折り部１１４および１１５の中心へと動き得る。折り部集約領域１２２は互いに近づく。折り部集約領域１２２のすべての点が、横平面３‐３’（点線で示す）に向かって動き得る。横平面３−３’は２つの上部パネル１１１ａおよび１１１ｂのつながれた端部から、パネル１１１ａおよび１１１ｂに対して垂直に伸ばされ、すでに横平面３‐３’上にある点を除く。アーチ状のパネル１１１、１１２、および１１３はドーム形状の本体１１０を徐々に形成し得、呼吸保護装置１００は開いた使用可能形状へ移行し得る。
【００３４】
開いた使用可能形状にある、ストラップのない折り畳み可能な呼吸保護装置１００の正面図および側面図である図９および図１０に示される本開示の一実施形態において、アーチ状のパネル１１１、１１２、および１１３のそれぞれは、隣接するパネルと、ある程度の角度を成しつつ、面積の大部分は重なることなしに、つながれ得る。アーチ状のパネル１１１、１１２、および１１３は、折り畳み可能な呼吸保護装置１００を形成する各アーチ状部品として見ることができる。本体１１０はアーチ状の状態にある。曲がった蝶番構造１３０と、アーチ状のパネル１１１、１１２、および１１３とアーチ状の折り部１１４および１１５とによって、ドーム形状の本体１１０に、その形状を維持するための剪断強度を与え得る。アーチ状のパネル１１１、１１２、および１１３とアーチ状の折り部１１４および１１５とをそれぞれの折り部集約領域１２２で密封し得、２つの放射中心を各折り部集約領域に有する放射パターン（図１０参照）に配置されて、ドーム形状の本体１１０および対応する空気室を定義する枠組みの役割を果たし得る。折り部集約領域１２２は、ドーム形状の本体１１０からの構造的圧力を受けて曲がり得る。本開示の一実施形態において、折り部集約領域１２２によって形成される凹型の切り込みにより、該折り部集約領域１２２が内側に曲がり全密封外周１２０を該曲折により押し出されることなしにほぼ平面上に保つのに十分な空間を提供し得る。密封外周１２０がほぼ平面上にあることにより、呼吸保護装置１００と使用者のあいだをよりよく密封し得る。いくつかの実施では、折り部集約領域１２２は、直線形状または凸曲線形状でもよい。直線状または凸曲線状の折り部集約領域１２２は、開いた使用可能な形状へ移行する際、前方または後方に曲がり得る。
【００３５】
ストラップのない折り畳み可能な呼吸保護装置１００が開いた使用可能な形状にある背面図である図１１に示す本開示の一実施形態において、ボウル形状の空気室１１６を、ドーム形状の本体１１０および接着剤１４０によって定めてもよい。ボウル形状の空気室１１６は、本体１１０を通して呼吸し空気を交換する空間を提供し得る。本開示の一実施形態において、ボウル形状の空気室１１６は、本体１１０の剪断強度により、呼吸中、一定の体積を維持し得る。本開示の一実施形態において、接着剤１４０は、呼吸保護装置１００を対象物の２つの別々の部位に接着させるための、互いに離れた第１部分および第２部分を有する。上記別々の部位が互いから離間する際、接着剤の第１部分および第２部分は該別々の部位とともに移動し、本体１１０が、該別々の部位が移動する方向に広がり、それによって、呼吸保護装置１００が上記対象物に接着し続ける。
【００３６】
図１２を参照すると、折り畳み可能な呼吸保護装置１００の、開いた使用可能な形状から平らに折り畳まれた形状への第１の移行が描かれている。本体１１０は、アーチ状の状態から平たくされた状態へと移行する。開いた使用可能な形状にある呼吸保護装置１００は、下部パネル１１２ａおよび１１２ｂまたは密封外周１２０のつなぎ合う部分が、折り部１１４および１１５に垂直かつ折り部１１４および１１５に向かう、２つのほぼ逆行性の力（点線の矢印で示す）を受けるあいだ、移行し得る。呼吸保護装置１００の移行時、下部パネル１１２ａおよび１１２ｂはそれぞれ、力１５１ａおよび１５１ｂの方向に沿って移動し得、複数のつながれた中間パネル１１３を内側に押しやり得る。パネル１１１、１１２、および１１３と折り部１１４および１１５の各中心が横軸に向かって放射状に動き、最終的に各パネルがジグザグパターンで積み重ねられる。２つの折り部集約領域１２２が互いに離れ、それによってパネル１１１、１１２、および１１３が平らになる。パネル１１１、１１２、および１１３が成す角は０度まで減少し得、パネル１１１、１１２、および１１３は折り畳まれ重なり得る。呼吸保護装置１００は上述の平らに折り畳まれた形状へ移行し得る。
【００３７】
図１３を参照すると、折り畳み可能な呼吸保護装置１００の、開いた使用可能な形状から平らに折り畳まれた形状への第２の移行が描かれている。本体１１０は、アーチ状の状態から平たくされた状態へと移行する。開いた使用可能な形状にある呼吸保護装置１００は、２つの折り部集約領域１２２が、折り部１１４および１１５の中央から離れ該折り部１１４および１１５に平行な、２つのほぼ逆行性の力（点線の矢印で示す）を受けるあいだ、移行し得る。呼吸保護装置１００の移行時、２つの折り部集約領域１２２は互いから離れ、それによってパネル１１１、１１２、および１１３を平たくする。パネル１１１、１１２、および１１３の各中心が横軸に向かって放射状に動き、最終的に各パネルがジグザグパターンで積み重ねられる。アーチ状のパネル１１１、１１２、および１１３と、アーチ状の折り部１１４および１１５が折り部集約領域１２２によって引っ張られ、徐々にまっすぐになり得る。各パネルが成す角は０度まで減少し得る。下部パネル１１２ａおよび１１２ｂと、複数の中間パネル１１３が上部パネル１１１ａおよび１１１ｂに向かって移動し得、互いに重なり得る。呼吸保護装置１００は上述の平らに折り畳まれた形状へ移行し得る。
【００３８】
図１４に示す本開示の一実施形態において、平らに折り畳まれた形状にある、ストラップのない呼吸保護装置１００は、蝶番構造１３０に沿って半分に折り得、包装袋２０２に保管し得る。接着剤１４０全体を、該接着剤１４０と繰り返し接触するための滑らかな表面（例えば、研磨、またはワックスないしシリコーンによる被覆による）を有する剥離ライナー２０１で覆ってよい。滑らかな表面を有する剥離ライナー２０１により、接着剤１４０が不適切な物質に接着するのを防ぐことができ、該接着剤１４０の粘着性を保つことができる。本開示の一実施形態では、剥離ライナー２０１を、ほぼ半折りの呼吸保護装置１００の内面に設けてよく、該半折りの呼吸保護装置１００によってクランプしてよい。包装袋２０２は、その内部に、１つ以上の半折りの呼吸保護装置１００を補完する空間を有してよい。本開示の一実施形態では、包装袋２０２は柔らかな材料から成ってよい。いくつかの実施では、柔らかな包装袋２０２は包み紙でよい。
【００３９】
図１５を参照すると、本開示の一実施形態に係る、ストラップのない呼吸保護装置１００が、開いた使用可能な形状にあるときの、線２−２’で切り裂いた半分が示されている。呼吸保護装置１００の本体１１０は、柔らかな材料から作られてよい。該柔らかな材料は、１層以上の通気性のある層を、本体１１０の外周で、端部密封１２１によって密封したものであってよい。上述の各層は、液体の移動（例えば、液状の噴霧または液状のしぶき）が貫通するのを妨げる１層以上のバリア層を含んでよい。該１層以上のバリア層は、特定のサイズ範囲（例えば、ＰＭ２．５）の粒子をブロックするフィルタとしての層を含んでもよい。該１層以上のバリア層は、吸気から有害なまたは臭いのある気体を取り除き得る吸収性物質（例えば、化学的処理済みまたは未処理の活性炭素、多孔性アルミナ・シリカ触媒物質、およびアルミナ粒子）を配した層をさらに含んでもよい。該１層以上のバリア層は、いくつかの実施において、水吸収性層をさらに含んでもよい。本開示の一実施形態において、呼吸保護装置１００は、面積の等しい３層以上の層、すなわち、１層の内層１１７ａと、１層以上の中間層１１７ｂと、１層の外層１１７ｃとを含んでよい。内層１１７ａは、使用可能な形状にあるあいだ、使用者に快適さを与えるため、（一般には、使用可能な形状において使用者に面する側に）皮膚に優しい表面を有してよい。外層１１７ｃは、特に使用可能な形状において水と接する際に他の層を乾いた状態のままにしておくための防水または疎水表面を有してよい。中間層１１７ｂは、フィルタ能力および吸収能力を有する上述のバリア層を含んでよい。いくつかの実施において、中間フィルタ層１１７ｂは、本体１１０、とりわけ空気室１６０に対応する領域を通過する気体すべてをフィルタリングするため、本体１１０の全面積を覆ってよい。いくつかの実施において、複数の層のうち１層を拡大（例えば、内層１１７ａを拡大）し、使用者の鼻に接触する部分に広げてよい。
【００４０】
本開示の一実施形態において、呼吸保護装置１００を製造する方法は、１層のバリア層を用意する工程と、上記バリア層の長さ方向の両辺に第１セットのジグザグ折り部１１４と第２セットのジグザグ折り部１１５とを形成する工程と、上記第１セットの折り部の両端を、上記バリア層の幅方向の両辺に固定して、該折り部の両端を閉じた状態にする工程と、上記第２セットの折り部の両端を、上記バリア層の幅方向の両側に固定して、該折り部の両端を閉じた状態にする工程と、上記呼吸保護装置１００を対象物に接着させる接着剤１４０を上記バリア層の端部に塗布する工程と、を含む。いくつかの実施において、接着剤１４０は、呼吸保護装置１００のほぼすべての端部に沿って塗布される。いくつかの実施において、呼吸保護装置１００の端部に沿った一定の長さの部分に塗布された接着剤１４０の量は、同じ長さの他の部分に塗布された接着剤１４０の量より多い。いくつかの実施において、接着剤１４０は、交差非線形軌道であって、該軌道中に１つ以上の交差点を含む軌道のかたちで塗布される。いくつかの実施において、バリア層の幅方向の辺を切断して、凹型の切り込みを作り、呼吸保護装置１００の横に空間を作る。いくつかの実施において、呼吸保護装置１００をさらに半分に折り、接着剤１４０が内面に位置し、剥離ライナー２０１が接着剤１４０のあいだに位置するようにする。
【００４１】
上記の説明は、当業者が本開示の諸態様をよりよく理解するよう、いくつかの実施形態の特徴の要点を述べたものである。本開示を土台として用いて他のプロセスおよび構造を設計または修正し、本明細書に描かれた諸実施形態と同じ目的および／または同じ長所を実現し得ると、当業者は理解されたい。当業者はまた、そのような均等物の構築は本開示の精神および範囲から逸脱するものではなく、本開示の精神および範囲から逸脱することなしに、本明細書においてさまざまな変形、置換、および変更を行い得ると理解されたい。
【図面の簡単な説明】
【００４２】
本開示の実施形態を、添付の図面を参照しつつ説明する。
【図１】図１は、本開示の一実施形態に係る、ストラップのない呼吸保護装置が、使用者の顔に配置された状態を示す。
【図２】図２は、本開示の一実施形態に係る、ストラップのない展開可能な呼吸保護装置が、平らに折り畳まれた形状にある正面図を示す。
【図３】図３は、本開示の一実施形態に係る、ストラップのない展開可能な呼吸保護装置が、平らに折り畳まれた形状にある背面図を示す。
【図４】図４は、本開示の一実施形態に係る、ストラップのない展開可能な呼吸保護装置が、図２に示す平らに折り畳まれた形状にあるときの、切断線２−２’における断面図を示す。
【図５】図５は、本開示の一実施形態に係る、ストラップのない展開可能な呼吸保護装置が、平らに折り畳まれた形状にある拡大正面部分図を示す。
【図６】図６は、本開示の一実施形態に係る、ストラップのない展開可能な呼吸保護装置が、平らに折り畳まれた形状にあるときの、縦方向からの側面図を示す。
【図７】図７は、本開示の一実施形態に係る、ストラップのない展開可能な呼吸保護装置が、平らに折り畳まれた形状にある拡大背面部分図を示す。
【図８】図８は、本開示の一実施形態に係る、ストラップのない展開可能な呼吸保護装置の、平らに折り畳まれた形状から開いた使用可能な形状への移行を示す。
【図９】図９は、本開示の一実施形態に係る、ストラップのない折り畳み可能な呼吸保護装置が、開いた使用可能な形状にある正面図を示す。
【図１０】図１０は、本開示の一実施形態に係る、ストラップのない折り畳み可能な呼吸保護装置が、開いた使用可能な形状にあるときの、幅方向からの側面図を示す。
【図１１】図１１は、本開示の一実施形態に係る、ストラップのない折り畳み可能な呼吸保護装置が、開いた使用可能な形状にある背面図を示す。
【図１２】図１２は、本開示の一実施形態に係る、ストラップのない折り畳み可能な呼吸保護装置の、弓なりの状態から平らになった状態への第１の移行を示す。
【図１３】図１３は、本開示の一実施形態に係る、ストラップのない折り畳み可能な呼吸保護装置の、弓なりの状態から平らになった状態への第２の移行を示す。
【図１４】図１４は、本開示の一実施形態に係る、ストラップのない展開可能な呼吸保護装置が、半分折り畳まれた形状で、包装袋に保管されている状態を示す。
【図１５】図１５は、本開示の一実施形態に係る、ストラップのない折り畳み可能な呼吸保護装置が、開いた使用可能な形状にあるときの、線２−２’で切り裂いた状態を示す。
【図１６】図１６は、本開示の一実施形態に係る、鍵穴形状の凹型の切り込みを示す。
【図１】
2019526721.tif 000003
【図２】
2019526721.tif 000004
【図３】
2019526721.tif 000005
【図４】
2019526721.tif 000006
【図５】
2019526721.tif 000007
【図６】
2019526721.tif 000008
【図７】
2019526721.tif 000009
【図８】
2019526721.tif 000010
【図９】
2019526721.tif 000011
【図１０】
2019526721.tif 000012
【図１１】
2019526721.tif 000013
【図１２】
2019526721.tif 000014
【図１３】
2019526721.tif 000015
【図１４】
2019526721.tif 000016
【図１５】
2019526721.tif 000017
【図１６】
2019526721.tif 000018
【手続補正書】
【提出日】平成30年6月19日(2018.6.19)
【手続補正１】
【補正対象書類名】明細書
【補正対象項目名】全文
【補正方法】変更
【補正の内容】
【発明の詳細な説明】
【発明の詳細な説明】
【０００１】
〔技術分野〕
本発明は、概して、ストラップなしに使用者の顔に付着し得、使用中、ボウル形状の空気室を形成し、包装時には平らに折り畳まれる、呼吸保護装置に関する。
〔背景技術〕
呼吸保護装置は、環境不純物、汚染物質、または病原体が使用者の気道に侵入するのを防ぐため、着用者の気道を覆うように着用される。例えば、大気汚染環境に居住する人々は、呼吸保護装置を用いて、有毒な浮遊粒子を吸い込むのを防いだり、顔の皮膚が大気にさらされるのを防いだりする。呼吸保護装置は、着用者の呼吸からの空気流をブロックするのにも用いられることがある。例えば、患者が呼吸保護装置を用いて病原体が広がるのを防ぐこともあるし、手術室またはクリーンルームで働く人々が呼吸保護装置を用いて唾液粒子が周囲に広がらないようにすることもある。
【０００２】
従来の呼吸保護装置は、耳または頭部用の１本または複数本のハーネスストラップによって、着用者の顔に配置される。しかし、ストラップは、十分な濾過作用を行うようマスクを使用者の顔に継ぎ目なく付着させられないことがあり、また、着用者に不快な圧迫感を与えることがある。ハーネスストラップから張力を受けると、柔軟性のある材料で作られたマスクは変形し、周囲に空間が生じる。硬い材料で作られたマスクは張力を受けてもその形状を維持するかもしれないが、硬いマスクは誰もの顔に合うわけではなく、やはり空間が生じるだろう。未濾過の汚染された空気が、そうした空間を通って容易に吸入される。一方、ある着用者のサイズに合うハーネスストラップは、別の着用者の耳または頭部に痛みをもたらし、マスクを用いる意欲を低下させるかもしれない。
【０００３】
マスクに何らかの付属品を付けることで、未濾過の空気を隔てることができる。例えば、スポンジまたは他の柔らかい材料をマスクの周囲に設置し、金属片を鼻梁に設置することで、マスクと着用者の顔との密封性を高めうる。しかし、付属品を加えることで、製造がより複雑になり、製造コストが上がる。付属品はまた、マスクの包装の嵩を増すかもしれない。
【０００４】
本開示は、柔らかい材料で作られ、本体にジグザグパターンの折り部を有し、ストラップの代わりに接着剤で着用者の顔に貼り付け可能な、呼吸保護装置を提供する。折り部を有する呼吸保護装置は、広げると、平らに折り畳まれた形状から開いた使用可能な形状へと移行でき、折り畳むと、開いた使用可能な形状から平らに折り畳まれた形状へと移行でき、柔軟なので、呼吸保護装置が着用者の顔の動きに引っ張られても着用者の顔に張り付き続ける。折り畳み形状は、保管の際の体積を減らすだけでなく、呼吸保護装置の本体を支持して、濾過された清浄な空気で満たされた完全に密封された空間で快適に呼吸するための大きな空気室を提供できる。本開示はまた、バリア層を折り畳み固定して、接着剤を該バリア層に塗布することにより、上記呼吸保護装置を製造する方法も提供する。
〔図面の簡単な説明〕
本開示の実施形態を、添付の図面を参照しつつ説明する。
【０００５】
図１は、本開示の一実施形態に係る、ストラップのない呼吸保護装置が、使用者の顔に配置された状態を示す。
【０００６】
図２は、本開示の一実施形態に係る、ストラップのない展開可能な呼吸保護装置が、平らに折り畳まれた形状にある正面図を示す。
【０００７】
図３は、本開示の一実施形態に係る、ストラップのない展開可能な呼吸保護装置が、平らに折り畳まれた形状にある背面図を示す。
【０００８】
図４は、本開示の一実施形態に係る、ストラップのない展開可能な呼吸保護装置が、図２に示す平らに折り畳まれた形状にあるときの、切断線２−２’における断面図を示す。
【０００９】
図５は、本開示の一実施形態に係る、ストラップのない展開可能な呼吸保護装置が、平らに折り畳まれた形状にある拡大正面部分図を示す。
【００１０】
図６は、本開示の一実施形態に係る、ストラップのない展開可能な呼吸保護装置が、平らに折り畳まれた形状にあるときの、縦方向からの側面図を示す。
【００１１】
図７は、本開示の一実施形態に係る、ストラップのない展開可能な呼吸保護装置が、平らに折り畳まれた形状にある拡大背面部分図を示す。
【００１２】
図８は、本開示の一実施形態に係る、ストラップのない展開可能な呼吸保護装置の、平らに折り畳まれた形状から開いた使用可能な形状への移行を示す。
【００１３】
図９は、本開示の一実施形態に係る、ストラップのない折り畳み可能な呼吸保護装置が、開いた使用可能な形状にある正面図を示す。
【００１４】
図１０は、本開示の一実施形態に係る、ストラップのない折り畳み可能な呼吸保護装置が、開いた使用可能な形状にあるときの、幅方向からの側面図を示す。
【００１５】
図１１は、本開示の一実施形態に係る、ストラップのない折り畳み可能な呼吸保護装置が、開いた使用可能な形状にある背面図を示す。
【００１６】
図１２は、本開示の一実施形態に係る、ストラップのない折り畳み可能な呼吸保護装置の、弓なりの状態から平らになった状態への第１の移行を示す。
【００１７】
図１３は、本開示の一実施形態に係る、ストラップのない折り畳み可能な呼吸保護装置の、弓なりの状態から平らになった状態への第２の移行を示す。
【００１８】
図１４は、本開示の一実施形態に係る、ストラップのない展開可能な呼吸保護装置が、半分折り畳まれた形状で、包装袋に保管されている状態を示す。
【００１９】
図１５は、本開示の一実施形態に係る、ストラップのない折り畳み可能な呼吸保護装置が、開いた使用可能な形状にあるときの、線２−２’で切り裂いた状態を示す。
【００２０】
図１６は、本開示の一実施形態に係る、鍵穴形状の凹型の切り込みを示す。
〔発明を実施するための形態〕
図１に示す本開示の一実施形態において、開いた使用可能な形状にある、ストラップのない呼吸保護装置１００は、使用者の口と鼻を覆うボウル形状の空気室を形成し、該呼吸保護装置の周囲で使用者の顔に付着して、使用者と密着状態になっている。本開示はまた、本開示のいくつかの実施形態に係る呼吸保護装置、例えば、手術用マスク、クリーンルーム用マスク、防塵マスク、呼吸加温マスク、フェイスシールド、およびさまざまな顔カバーであってもよい。
【００２１】
図２および図３に示す本開示の一実施形態において、平らに折り畳まれた形状にある、ストラップのない展開可能な呼吸保護装置１００の正面図および背面図は、平たくされた状態の本体１１０と、該本体１１０を囲む密封外周１２０と、中央折り部１３０と、該密封外周１２０の実質的に後ろ側にある接着剤１４０とを有しうる。本体１１０はさらに、一組の上部パネル（第１上部パネル１１１ａおよび第２上部パネル１１１ｂ）と、一組の下部パネル（第１下部パネル１１２ａおよび第２下部パネル１１２ｂ）と、該上部パネル１１１ａおよび１１１ｂと該下部パネル１１２ａおよび１１２ｂとのあいだにある少なくとも一組の中間パネル（図示せず）とを有する。上記のパネル（上部パネル１１１ａおよび１１１ｂ、中間パネル、下部パネル１１２ａおよび１１２ｂ）のうち２つが、それぞれの長辺でつなぎ合わされて、折り部を形成することができ、該折り部は、折り曲げ線と、該折り曲げ線に沿った隣接領域（これは、各隣接パネルの実質的な辺である）とを有する。いくつかの実施において、上記各隣接パネルの各組は、折り部によって分けられているが１つのピースとして形成されてよく、他の実施では、上記各隣接パネルの各組は、縫い目、溶接部、または接着によってさらにつなぎ合わされてもよい。図２および図３を再度参照すると、呼吸保護装置の中心から離れる側にあり、外側へ突出する折り曲げ線を有する折り部は、山折り部１１４ａおよび１１４ｂと名付ける。呼吸保護装置の中心に近い側にあり、内側にへこんでいる折り曲げ線を有する折り部は、谷折り部１１５ａおよび１１５ｂと名付ける。本開示の一実施形態において、上部パネル１１１ａおよび１１１ｂ（最上部のパネルである）は、それぞれの長辺で平行につなぎ合わされて、該２つの上部パネル１１１ａおよび１１１ｂが、第１セットおよび上記第２セットの各最上部のパネルを接続する長辺の２つの端部によって定められる横軸（点線で示す）の両方の側に位置してよい。いくつかの実施では、上部パネル１１１ａおよび１１１ｂはさらに、１つのピースとして製造されてよい。本開示の一実施形態では、上部パネル１１１ａおよび１１１ｂはそれぞれ、山折り部１１４ａおよび１１４ｂを介して、複数の中間パネルのうち隣接する最上部のものとつなぎ合わさってよい。下部パネル１１２ａおよび１１２ｂはそれぞれ、谷折り部１１５ａおよび１１５ｂを介して、複数の中間パネルのうち隣接する最下部のものとつなぎ合わさってよい。
【００２２】
図４に示す本開示の一実施形態では、平らに折り畳まれた形状の呼吸保護装置の、切断線２‐２’における断面図は、展開可能な呼吸保護装置を構成する積み重ねられたパネルの第１セットおよび積み重ねられたパネルの第２セットを示す。第１セットおよび第２セットのそれぞれでは、上部パネル１１１と、１つまたは複数の中間パネル１１３と、下部パネル１１２とが、長辺で、ひとつずつ、ジグザグパターンでつながっており、２つの短辺でともに固定されている。第１セットの最上部のパネル、すなわち上部パネル１１１ａが、第２セットの最上部のパネル、すなわち上部パネル１１１ｂと融合しており、それによって、第１セットおよび第２セットが、該第１セットおよび該第２セットの各最上部のパネルを接続する長辺の２つの端によって定められる横軸の両側に位置する。積み重ねられたパネルの第１セットが合わさって、本体１１０の第１半分を形成し、積み重ねられたパネルの第２セットが合わさって、本体１１０の第２半分を形成する。上部パネル１１１ａおよび１１１ｂはそれぞれ、山折り部１１４ａおよび１１４ｂを介して、複数の中間パネル１１３のうち隣接する最上部のものとつなぎ合わさってよい。下部パネル１１２ａおよび１１２ｂはそれぞれ、谷折り部１１５ａおよび１１５ｂを介して、複数の中間パネル１１３のうち隣接する最下部のものとつなぎ合わさってよい。中間パネル１１３のそれぞれは、山折り部１１４または谷折り部１１５を介して、隣接する他の中間パネル１１３と一つずつつながってよい。いくつかの実施では、積み重ねられたパネルの２つのセットのジグザグパターンは、互いにほぼ対称的である。両方のセットにおける、対称的なジグザグパターンを有するパネルの数は同じである。対称的なジグザグパターンを有する積み重ねられたパネルの２つのセットそれぞれにおける対応する位置にある２つのパネルは、ほぼ同じ形状および面積を有する。第１半分の本体の山折り部１１４および谷折り部１１５の配置は、第２半分の本体の山折り部１１４および谷折り部１１５の配置とほぼ対称的である。本開示の一実施形態において、上部パネル１１１ａおよび１１１ｂと中間パネル１１３は、面積がほぼ等しくてよい。本開示の一実施形態において、使用可能な形状において特定の形状の空気室を形成するために、上部パネル１１１ａおよび１１１ｂと中間パネル１１３は、下部パネル１１２ａおよび１１２ｂよりも面積が小さくてよい。いくつかの実施において、上部パネル１１１ａおよび１１１ｂ、中間パネル１１３、および下部パネル１１２ａおよび１１２ｂは、面積が異なってもよい。例えば、下部パネル１１２ａおよび１１２ｂから、中間パネル１１３、そして上部パネル１１１ａおよび１１１ｂへと、面積が次第に減少してよい。いくつかの実施において、使用可能な形状において特定の形状の空気室を形成するために、第１上部パネル１１１ａおよび第１上部パネル１１２ａのあいだの中間パネル１１３の数を、第２上部パネル１１１ｂおよび第１下部パネル１１２ｂのあいだの中間パネル１１３の数より多くしてもよいし、少なくしてもよい。
【００２３】
図５および図６を参照すると、密封外周１２０は端部密封１２１を含んでよく、本体１１０を囲んでよい。本開示の一実施形態では、端部密封は、合わさって本体１１０を形成する多層のシートを圧迫し固定する、任意の形状の表面のくぼみであってよい。いくつかの実施では、密封外周１２０は幅１〜１５ｍｍでよく、密封効果を高めるとともに使用可能な形状の空気室の空間を圧迫しないため、特に幅８ｍｍでよい。本開示の一実施形態では、端部密封１２１は、点１２１ａの形状や、線１２１ｂの形状や、文字１２１ｃの形状でよく、使用者の顔に付着する際に、それぞれ異なる密封力および異なる柔らかさをもたらす。いくつかの実施において、端部密封は、２次元の図の形状でよい。密封外周１２０は、呼吸保護装置１００の対応する横辺に、２つの折り部集約領域１２２を有してよい。対応する辺の折り部集約領域１２２のそれぞれは、山折り部１１４および谷折り部１１５を受ける密封外周１２０のそれぞれの部分の結合によってそれぞれ定められてよい。折り部集約領域１２２は、複数の折り部１１４および１１５と、複数のパネル１１１、１１２、１１３を、短辺で封じてよい。したがって、折り部集約領域１２２を互いに向かって動かすことにより、パネル１１１、１１２、および１１３と折り部１１４および１１５は曲がり、それによって、使用可能な形状の空気室を形成し得る。
【００２４】
本開示の一実施形態では、呼吸保護装置１００は、ほぼ平面形状である、第１半分の本体および第２半分の本体とを有する。第１半分の本体および第２半分の本体のそれぞれは、外側に突き出る複数の山折り部１１４と、内側にへこむ複数の谷折り部１１５と、本体の半分を囲む外周１２０と、を有する。山折り部１１４と谷折り部１１５は、ほぼ平行であり、交互に配置されている。外周１２０は２つの折り部集約領域１２２を有しており、該折り部集約領域１２２において、折り部が閉じられかつ固定されている。第１半分の本体および第２半分の本体とが辺でつながれ、それによって、第１半分の本体および第２半分の本体とが、該第１半分の本体と該第２半分の本体を接続する辺の２つの端部によって定められる横軸の両側に位置する。
【００２５】
本開示の一実施形態では、線形状の端部密封１２１ｂは、点形状の端部密封１２１ａよりも高い密封力と硬さを提供する。異なる形状および数の端部密封１２１の組み合わせ（例えば、端部密封１２１ａ、１２１ｂ、および１２１ｃの組み合わせ）が、呼吸保護装置１００が使用可能な形状と平らに折り畳まれた形状とのあいだを移行する際に大きな力に耐える、密封外周１２０の特定の領域（例えば、折り部集約領域１２２）の中に含まれてよい。
【００２６】
本開示の一実施形態では、隣接する短辺上の折り部集約領域１２２は、呼吸保護装置１００の横に空間を作る凹型の切り込みを２つ形成し、それによって、呼吸保護装置１００の移行のあいだ、パネル１１１、１１２、および１１３と、折り部１１４および１１５の移動を可能にしてよい。空間を設けることにより、折り部集約領域１２２が外側または内側に曲がって呼吸保護装置１００と着用者とのあいだに空気の通路を作り出すのを防げる。いくつかの実施では、凹型の切り込みは、台形、三角形、または半円の形状の空間を作る。いくつかの実施では、凹型の切り込みはそれぞれ、曲線につながれた一組の直線を有する。２本の線は、移行時に互いに接近し、移行が終わると平行になってもよい。移行時、曲線は曲がり、呼吸保護装置１００上に不快な尖った構造ができるのを防ぐ。いくつかの実施では、１本の曲線につながれた２本の直線をそれぞれ含む凹型の切り込みは、図１６の点線に示すように、鍵穴の形状でよい。
【００２７】
本開示の一実施形態において、図２および図６を参照すると、中央折り部１３０は、呼吸保護装置１００をほぼ半分に折るための折り部と、該折り部のそばの曲線構造（図６参照）とによって定められてよい。中央折り部１３０は、横軸に対してほぼ垂直で、かつ、第１半分の本体および第２半分の本体を接続する辺の各中心によって定められる垂直軸に平行でよい。中央折り部１３０は、横軸に対してほぼ垂直で、かつ、第１セットのパネルおよび第２セットのパネルの各長辺の各中心によって定められる垂直軸に平行でよい。中央折り部１３０は、複数のパネルおよび折り部すべてを横断してよい。中央折り部１３０は、使用時に使用者の顔に対する位置決め基準であってよい。
【００２８】
図３および図７に示す本開示の一実施形態では、接着剤１４０を呼吸保護装置１００のもっとも下側のパネルに外側の端部沿いに配置し、呼吸保護装置１００を使用者との密封状態にする。いくつかの実施では、接着剤１４０は、呼吸保護装置１００を使用者の顔における２つの領域に接着させるために、呼吸保護装置１００上で互いに離れて位置する２つの部分を有する。いくつかの実施において、接着剤１４０は、開いた使用可能な形状にある呼吸保護装置１００の空気室の端部のほぼ全体を密封するために呼吸保護装置１００の端部のほぼ全体に配置される、ほぼ連続した密封層であってよい。接着剤１４０の幅は変わってよく、粘着力は層１４０の幅に積極的に関連してよい。接着剤１４０は最小の幅で十分な粘着力を提供してよく、最大の幅で空気室を形成する最小の空間を提供してよい。接着剤１４０の幅は、使用者の呼吸を妨げるほど空気室の体積を減らしてはならない。本開示の一実施形態では、接着剤１４０の幅は、密封外周１２０の幅に近くてよい。いくつかの実施では、接着剤１４０は、幅が１〜１５ｍｍでよく、特に、密封外周１２０の幅に基づいて、８ｍｍでよい。
【００２９】
粘着性材料を、呼吸保護装置１００上に、一種の軌道として配置してもよい。該軌道は、接着剤１４０の接着力と表面構造に影響しうる。粘着性材料を、呼吸保護装置１００の端部にほぼ沿った非線形軌道として配置してもよい。非線形軌道は、曲線や回転を含んでよく、さらに、非交差非線形軌道（例えば、ぎざぎざの軌道）でもよいし、または、軌道上に１つ以上の交差点を含む交差非線形軌道（例えば、図７に示す螺旋軌道１４１ａおよび１４１ｂ）でもよい。交差非線形軌道上の交差点における粘着性材料は、近傍の構造よりも分厚くてもよい。
【００３０】
接着剤１４０の接着力は、層を分厚くする、または層の幅を広げることによって強くしてもよい。交差非線形配置軌道の位相または粘着性材料の量が、接着剤１４０の厚さに影響し得る。例えば、図７を参照すると、粘着性材料のコンパクトな螺旋配置軌道１４１ａは、より多くの交差点と、それに対応したより分厚い構造を有し、それによってより強い接着力を提供し得る。本開示の一実施形態において、呼吸保護装置１００の外側の端部の一部分に配置される接着剤の量は、該外側の端部の他の部分に配置される接着剤の量より多い。いくつかの実施において、コンパクトな螺旋配置軌道１４１ａを、２つの折り部集約領域１２２の後ろ側に設けて、密封外周１２０の残りの領域の後ろ側におけるゆるい螺旋配置軌道１４１ｂよりも強い接着力を与えてよい。いくつかの実施において、より多くの皮膚の分泌物に接触する領域（例えば、鼻の皮膚に接触する領域）には、より多くの接着剤を塗ってよい。
[  非線形配置軌道または排出量の異なる配置軌道によって形成される接着剤１４０の表面は、排出量が一定の線形排出軌道によって形成される接着剤１４０の表面に比べて相対的に不均一であってよい。例えば、図３および図７に示す粘着性材料による螺旋配置軌道１４１ａおよび１４１ｂにより、接着剤１４０の表面を不均一にし得る。接着剤１４０の表面を不均一にすることにより、十分な接着力を提供しつつ、分泌物（例えば、空気や液体）を皮膚から放出する空間を作り得る。
【００３１】
いくつかの実施では、接着剤１４０は、（１）永続的な粘着性、（２）指圧以下の接着力、（３）皮膚にくっつき続ける十分な能力、および（４）十分な粘着力を含む特定の性質を有する感圧性接着剤であってよい。粘着性材料は、呼吸保護装置と使用者の皮膚のあいだに適切な接着力を提供するポリマー（例えば、さまざまな（メタ）アクリレート系コポリマー、天然ゴム、合成ゴム、シリコーン）であってよい。粘着性材料は使用者の皮膚から剥離可能であってよい。本開示の一実施形態において、粘着性材料は、開いた使用可能な形状において使用者の皮膚に取り付けられるあいだ高い接着性を提供する温度に積極的に関連する粘着性を有する材料であってよい。
【００３２】
図８を参照すると、ストラップのない呼吸保護装置１００が平らに折り畳まれた形状から開いた使用可能な形状へ移行する様子が示されている。本体１１０は、平らにされた状態からアーチ状の状態へと移行し、空気室を形成する。平らに折り畳まれた形状の呼吸保護装置１００は、下部パネル１１２ａおよび１１２ｂそれぞれまたは密封外周１２０のつながれた部分それぞれが、横軸と折り部１１４および１１５に対して垂直かつ横軸と折り部１１４および１１５から離れる方向に向かうほぼ逆行性の力１５１ａおよび１５１ｂ（点線の矢印で示す）を受けるあいだ、移行し得る。呼吸保護装置１００の移行時、下部パネル１１２ａおよび１１２ｂはそれぞれ力１５１ａおよび１５１ｂの方向に沿って動き得、複数のつながれた中間パネル１１３を外側に引っ張り得る。パネル１１１、１１２、および１１３の中心は、横軸から放射状に移動し、それによってパネル１１１、１１２、および１１３が積まれた状態から取り出され、一定の角度を成しつつ互いにつなぎ合わさる。山折り部１１４および谷折り部１１５が開き、各山折り部１１４および谷折り部１１５の中心が、横軸から放射状に離れる。パネル１１１、１１２、および１１３はある程度の角度で徐々に開かれる。中央折り部１３０は動くパネル１１１、１１２、および１１３とともに延伸し得、アーチ型に成り得る。しかし、パネル１１１、１１２、および１１３と折り部１１４および１１５は折り部集約領域１２２で固定され得るので、パネル１１１、１１２、および１１３と折り部１１４および１１５は徐々にアーチ型になり、折り部集約領域１２２を引っ張って折り部１１４および１１５の中心へと動き得る。第１半分の本体および第２半分の本体の有する隣接する折り部集約領域１２２は互いに対して動き、それによって、該第１半分の本体および該第２半分の本体がアーチ状になる。折り部集約領域１２２のすべての点が、横平面３‐３’（点線で示す）に向かって動き得る。横平面３−３’は２つの上部パネル１１１ａおよび１１１ｂのつながれた端部から、パネル１１１ａおよび１１１ｂに対して垂直に伸ばされ、すでに横平面３‐３’上にある点を除く。アーチ状のパネル１１１、１１２、および１１３はドーム形状の本体１１０を徐々に形成し得、呼吸保護装置１００は開いた使用可能形状へ移行し得る。
【００３３】
開いた使用可能形状にある、ストラップのない折り畳み可能な呼吸保護装置１００の正面図および側面図である図９および図１０に示される本開示の一実施形態において、アーチ状のパネル１１１、１１２、および１１３のそれぞれは、隣接するパネルと、ある程度の角度を成しつつ、面積の大部分は重なることなしに、つながれ得る。アーチ状のパネル１１１、１１２、および１１３は、一組のアーチ状部品として見ることができる。二組のアーチ状部品が、折り畳み可能な呼吸保護装置１００を形成する。本体１１０はアーチ状の状態にある。曲がった中央折り部１３０と、アーチ状のパネル１１１、１１２、および１１３とアーチ状の折り部１１４および１１５とによって、ドーム形状の本体１１０に、その形状を維持するための剪断強度を与え得る。アーチ状のパネル１１１、１１２、および１１３とアーチ状の折り部１１４および１１５とをそれぞれの折り部集約領域１２２で密封し得、２つの放射中心を各折り部集約領域に有する放射パターン（図１０参照）に配置されて、ドーム形状の本体１１０および対応する空気室を定義する枠組みの役割を果たし得る。折り部集約領域１２２は、ドーム形状の本体１１０からの構造的圧力を受けて曲がり得る。本開示の一実施形態において、折り部集約領域１２２によって形成される凹型の切り込みにより、該折り部集約領域１２２が内側に曲がり全密封外周１２０を該曲折により押し出されることなしにほぼ平面上に保つのに十分な空間を提供し得る。密封外周１２０がほぼ平面上にあることにより、呼吸保護装置１００と使用者のあいだをよりよく密封し得る。いくつかの実施では、折り部集約領域１２２は、直線形状または凸曲線形状でもよい。直線状または凸曲線状の折り部集約領域１２２は、開いた使用可能な形状へ移行する際、前方または後方に曲がり得る。
【００３４】
ストラップのない折り畳み可能な呼吸保護装置１００が開いた使用可能な形状にある背面図である図１１に示す本開示の一実施形態において、ボウル形状の空気室１１６を、ドーム形状の本体１１０および接着剤１４０によって定めてもよい。ボウル形状の空気室１１６は、本体１１０を通して呼吸し空気を交換する空間を提供し得る。本開示の一実施形態において、ボウル形状の空気室１１６は、本体１１０の剪断強度により、呼吸中、一定の体積を維持し得る。本開示の一実施形態において、接着剤１４０は、呼吸保護装置１００を対象物の２つの部位に接着させるための、互いに離れた第１部分および第２部分を有する。対象物の２つの部位が互いに対して動くと、該２つの部位の動きと連動して第１セットおよび第２セットが動き、該第１セットおよび該第２セットの２つの隣接する部品間の少なくとも１つの角が変化して、呼吸保護装置１００は上記対象物に接着し続ける。
【００３５】
図１２を参照すると、折り畳み可能な呼吸保護装置１００の、開いた使用可能な形状から平らに折り畳まれた形状への第１の移行プロセスが描かれている。本体１１０は、アーチ状の状態から平たくされた状態へと変化する。開いた使用可能な形状にある呼吸保護装置１００は、下部パネル１１２ａおよび１１２ｂまたは密封外周１２０のつなぎ合う部分が、折り部１１４および１１５に垂直かつ折り部１１４および１１５に向かう、２つのほぼ逆行性の力（点線の矢印で示す）を受けるあいだ、変化し得る。呼吸保護装置１００の移行プロセス時、下部パネル１１２ａおよび１１２ｂはそれぞれ、力１５１ａおよび１５１ｂの方向に沿って移動し得、複数のつながれた中間パネル１１３を内側に押しやり得る。パネル１１１、１１２、および１１３と折り部１１４および１１５の各中心が横軸に向かって放射状に動き、最終的に第１セットおよび第２セットの各パネルがジグザグパターンで積み重ねられる。第１セットおよび第２セットの２つの短辺および２つの折り部集約領域１２２が互いに離れ、それによってパネル１１１、１１２、および１１３が平らになる。パネル１１１、１１２、および１１３が成す角は０度まで減少し得、パネル１１１、１１２、および１１３は折り畳まれ重なり得る。呼吸保護装置１００は上述の平らに折り畳まれた形状へ変化し得る。
【００３６】
図１３を参照すると、折り畳み可能な呼吸保護装置１００の、開いた使用可能な形状から平らに折り畳まれた形状への第２の移行プロセスが描かれている。本体１１０は、アーチ状の状態から平たくされた状態へと変化する。開いた使用可能な形状にある呼吸保護装置１００は、２つの折り部集約領域１２２が、折り部１１４および１１５の中央から離れ該折り部１１４および１１５に平行な、２つのほぼ逆行性の力（点線の矢印で示す）を受けるあいだ、変化し得る。呼吸保護装置１００の移行時、２つの折り部集約領域１２２は互いから離れ、それによってパネル１１１、１１２、および１１３を平たくする。パネル１１１、１１２、および１１３の各中心が横軸に向かって放射状に動き、最終的に第１セットおよび第２セットの各パネルがジグザグパターンで積み重ねられる。アーチ状のパネル１１１、１１２、および１１３と、アーチ状の折り部１１４および１１５が折り部集約領域１２２によって引っ張られ、徐々に平らになり得る。各パネルが成す角は０度まで減少し得る。下部パネル１１２ａおよび１１２ｂと、複数の中間パネル１１３が上部パネル１１１ａおよび１１１ｂに向かって移動し得、互いに重なり得る。呼吸保護装置１００は上述の平らに折り畳まれた形状へ変化し得る。
【００３７】
図１４に示す本開示の一実施形態において、平らに折り畳まれた形状にある、ストラップのない呼吸保護装置１００は、中央折り部１３０に沿って半分に折り得、包装袋２０２に保管し得る。接着剤１４０全体を、該接着剤１４０と繰り返し接触するための滑らかな表面（例えば、研磨、またはワックスないしシリコーンによる被覆による）を有する剥離ライナー２０１で覆ってよい。滑らかな表面を有する剥離ライナー２０１により、呼吸保護装置が中央折り部に沿って折られる際に接着剤１４０が互いに接着したり、あるいは他の不適切な物質に接着したりするのを防ぐことができ、該接着剤１４０の粘着性を保つことができる。本開示の一実施形態では、剥離ライナー２０１を、ほぼ半折りの呼吸保護装置１００の内面に設けてよく、該半折りの呼吸保護装置１００によってクランプしてよい。包装袋２０２は、その内部に、１つ以上の半折りの呼吸保護装置１００を補完する空間を有してよい。本開示の一実施形態では、包装袋２０２は柔らかな材料から成ってよい。いくつかの実施では、柔らかな包装袋２０２は包み紙でよい。
【００３８】
図１５を参照すると、本開示の一実施形態に係る、ストラップのない呼吸保護装置１００が、開いた使用可能な形状にあるときの、線２−２’で切り裂いた半分が示されている。呼吸保護装置１００の本体１１０は、柔らかな材料から作られてよい。該柔らかな材料は、１層以上の通気性のある層を、本体１１０の外周で、端部密封１２１によって密封したものであってよい。上述の各層は、液体の移動（例えば、液状の噴霧または液状のしぶき）が貫通するのを妨げる１層以上のバリア層を含んでよい。該１層以上のバリア層は、特定のサイズ範囲（例えば、ＰＭ２．５）の粒子をブロックするフィルタとしての層を含んでもよい。該１層以上のバリア層は、吸気から有害なまたは臭いのある気体を取り除き得る吸収性物質（例えば、化学的処理済みの活性炭素、多孔性アルミナ・シリカ触媒物質、およびアルミナ粒子）を配した層をさらに含んでもよい。該１層以上のバリア層は、いくつかの実施において、水吸収性層をさらに含んでもよい。本開示の一実施形態において、呼吸保護装置１００は、面積の等しい３層以上の層、すなわち、１層の内層１１７ａと、１層以上の中間層１１７ｂと、１層の外層１１７ｃとを含んでよい。内層１１７ａは、使用可能な形状にあるあいだ、使用者に快適さを与えるため、（一般には、使用可能な形状において使用者に面する側に）皮膚に優しい表面を有してよい。外層１１７ｃは、特に使用可能な形状において水と接する際に他の層を乾いた状態のままにしておくための防水または疎水表面を有してよい。中間層１１７ｂは、フィルタ能力および吸収能力を有する上述のバリア層を含んでよい。いくつかの実施において、中間フィルタ層１１７ｂは、本体１１０、とりわけ空気室に対応する領域を通過する気体すべてをフィルタリングするため、本体１１０の全面積を覆ってよい。いくつかの実施において、複数の層のうち１層を拡大（例えば、内層１１７ａを拡大）し、使用者の鼻に接触する部分に広げてよい。
【００３９】
本開示の一実施形態において、呼吸保護装置１００を製造する方法は、１層のバリア層を提供する工程と、上記バリア層の２つの向かい合う長辺に第１セットのジグザグ折り部１１４と第２セットのジグザグ折り部１１５とを形成する工程と、上記第１セットおよび上記第２セットの２つの端を、上記バリア層の２つの向かい合う短辺に閉じかつ固定する工程と、上記バリア層の短辺を切断して、該短辺のそれぞれに凹型の切り込みを形成する工程と、上記呼吸保護装置１００が対象物に接着できるようにする接着剤１４０を上記バリア層の外側の端部に塗布する工程と、を含む。いくつかの実施において、接着剤１４０は、呼吸保護装置１００のほぼすべての端部に沿って塗布される。いくつかの実施において、呼吸保護装置１００の上記外側の端部の一部分に配置された接着剤１４０の量は、上記外側の端部の他の部分に配置された接着剤１４０の量より多い。いくつかの実施において、接着剤１４０は、非線形軌道であって、該軌道上に１つ以上の交差点を含む軌道に沿って塗布される。いくつかの実施において、バリア層の短辺を切断して、凹型の切り込みを２つ作り、呼吸保護装置１００の横に空間を作る。いくつかの実施において、呼吸保護装置１００をさらに半分に折り、接着剤１４０が呼吸保護装置の内側に面し、剥離ライナー２０１が接着剤１４０のあいだに位置するようにする。
【００４０】
上記の説明は、当業者が本開示の諸態様をよりよく理解するよう、いくつかの実施形態の特徴の要点を述べたものである。本開示を土台として用いて他のプロセスおよび構造を設計または修正し、本明細書に描かれた諸実施形態と同じ目的および／または同じ長所を実現し得ると、当業者は理解されたい。当業者はまた、そのような均等物の構築は本開示の精神および範囲から逸脱するものではなく、本開示の精神および範囲から逸脱することなしに、本明細書においてさまざまな変形、置換、および変更を行い得ると理解されたい。
【図面の簡単な説明】
【００４１】
本開示の実施形態を、添付の図面を参照しつつ説明する。
【図１】図１は、本開示の一実施形態に係る、ストラップのない呼吸保護装置が、使用者の顔に配置された状態を示す。
【図２】図２は、本開示の一実施形態に係る、ストラップのない展開可能な呼吸保護装置が、平らに折り畳まれた形状にある正面図を示す。
【図３】図３は、本開示の一実施形態に係る、ストラップのない展開可能な呼吸保護装置が、平らに折り畳まれた形状にある背面図を示す。
【図４】図４は、本開示の一実施形態に係る、ストラップのない展開可能な呼吸保護装置が、図２に示す平らに折り畳まれた形状にあるときの、切断線２−２’における断面図を示す。
【図５】図５は、本開示の一実施形態に係る、ストラップのない展開可能な呼吸保護装置が、平らに折り畳まれた形状にある拡大正面部分図を示す。
【図６】図６は、本開示の一実施形態に係る、ストラップのない展開可能な呼吸保護装置が、平らに折り畳まれた形状にあるときの、縦方向からの側面図を示す。
【図７】図７は、本開示の一実施形態に係る、ストラップのない展開可能な呼吸保護装置が、平らに折り畳まれた形状にある拡大背面部分図を示す。
【図８】図８は、本開示の一実施形態に係る、ストラップのない展開可能な呼吸保護装置の、平らに折り畳まれた形状から開いた使用可能な形状への移行を示す。
【図９】図９は、本開示の一実施形態に係る、ストラップのない折り畳み可能な呼吸保護装置が、開いた使用可能な形状にある正面図を示す。
【図１０】図１０は、本開示の一実施形態に係る、ストラップのない折り畳み可能な呼吸保護装置が、開いた使用可能な形状にあるときの、幅方向からの側面図を示す。
【図１１】図１１は、本開示の一実施形態に係る、ストラップのない折り畳み可能な呼吸保護装置が、開いた使用可能な形状にある背面図を示す。
【図１２】図１２は、本開示の一実施形態に係る、ストラップのない折り畳み可能な呼吸保護装置の、弓なりの状態から平らになった状態への第１の移行を示す。
【図１３】図１３は、本開示の一実施形態に係る、ストラップのない折り畳み可能な呼吸保護装置の、弓なりの状態から平らになった状態への第２の移行を示す。
【図１４】図１４は、本開示の一実施形態に係る、ストラップのない展開可能な呼吸保護装置が、半分折り畳まれた形状で、包装袋に保管されている状態を示す。
【図１５】図１５は、本開示の一実施形態に係る、ストラップのない折り畳み可能な呼吸保護装置が、開いた使用可能な形状にあるときの、線２−２’で切り裂いた状態を示す。
【図１６】図１６は、本開示の一実施形態に係る、鍵穴形状の凹型の切り込みを示す。
【手続補正２】
【補正対象書類名】特許請求の範囲
【補正対象項目名】全文
【補正方法】変更
【補正の内容】
【特許請求の範囲】
【請求項１】
展開可能な呼吸保護装置であって、
第１セットの積み重ねられたパネルおよび第２セットの積み重ねられたパネルを有し、
上記第１セットおよび上記第２セットのそれぞれは複数のパネルを含み、該複数のパネルは２つの長辺において１つずつジグザグパターンでつながれ、該長辺の２つの端における２つの短辺においてともに固定され、
上記第１セットの最上部のパネルの長辺の１つが上記第２セットの最上部のパネルの長辺の１つと融合しており、それによって、上記第１セットおよび上記第２セットは、上記第１セットおよび上記第２セットの各最上部のパネルを接続する長辺の２つの端によって定められる横軸の両側に位置し、
上記第１セットおよび上記第２セットの隣接する短辺同士が、ともに、２つの凹型の切り込みを、それぞれ上記長辺の２つの端のうち１つにおいてそれぞれ形成し、
上記第１セットおよび上記第２セットの各パネルの中心が上記横軸から放射状に離れ、それによって、上記パネルが積み重ねられた状態から取り出され、一定の角度を成して互いにつながり、かつ、上記各パネルの上記隣接する短辺同士が互いに向かって移動して、上記各パネルがアーチ状になると、上記呼吸保護装置は展開して空気室を作る、展開可能な呼吸保護装置。
【請求項２】
上記第１セットおよび上記第２セットの最下部のパネル上に、上記呼吸保護装置の外端に沿って配置された接着剤をさらに有する、請求項１に記載の展開可能な呼吸保護装置。
【請求項３】
上記呼吸保護装置の上記外端の一部分に配置された接着剤の量は、上記外端の他の部分に配置された接着剤の量より多い、請求項２に記載の展開可能な呼吸保護装置。
【請求項４】
上記接着剤は感圧性接着材料である、請求項２に記載の展開可能な呼吸保護装置。
【請求項５】
上記第１セットおよび上記第２セットの上記最下部のパネル上に密封層をさらに有し、該密封層は、上記呼吸保護装置によって形成される上記空気室の端部のほぼ全体を対象物に接着させる接着剤を含む、請求項１に記載の展開可能な呼吸保護装置。
【請求項６】
上記凹型の切り込みはそれぞれ、一組の直線が一本の曲線につながれている、請求項１に記載の展開可能な呼吸保護装置。
【請求項７】
上記横軸に対してほぼ垂直で、上記各パネルのすべての長辺の中心によって定められる垂直軸に平行な中央折り部をさらに有する、請求項１に記載の展開可能な呼吸保護装置。
【請求項８】
上記第１セットの積み重ねられたパネルの上記ジグザグパターンは、上記第２セットの積み重ねられたパネルの上記ジグザグパターンとほぼ対称的である、請求項１に記載の展開可能な呼吸保護装置。
【請求項９】
展開可能な呼吸保護装置であって、
ほぼ平面形状である第１半分の本体および第２半分の本体を有し、
上記第１半分の本体および第２半分の本体のそれぞれは、
外側に突き出る複数の山折り部と、
内側にへこむ複数の谷折り部と、
辺と外周と、を有し、
上記辺および上記外周は、ともに、対応する半分の本体を囲み、
上記外周は、２つの折り部集約領域を有し、上記折り部は、上記折り部集約領域において閉じられかつ固定され、
上記山折り部と上記谷折り部は、ほぼ平行であり、交互に配置され、
上記第１半分の本体の辺が上記第２半分の本体の辺と融合し、それによって、上記第１半分の本体と上記第２半分の本体とが、該第１半分の本体と該第２半分の本体を接続する辺の２つの端部によって定められる横軸の両側に位置し、
上記第１半分の本体および上記第２半分の本体の有する隣接する折り部集約領域が、ともに、２つの凹型の切り込みを、上記辺の２つの端のうち１つにおいてそれぞれ形成し、
上記第１半分の本体の上記２つの折り部集約領域のあいだの上記外周の一部分と、上記第２半分の本体の上記２つの折り部集約領域のあいだの上記外周の一部分が、上記横軸に垂直な方向に沿って互いから離れ、それによって、上記山折り部と上記谷折り部とが開き、上記山折り部と上記谷折り部の各中心が上記横軸から放射状に離れ、かつ、上記第１半分の本体と上記第２半分の本体の上記隣接する折り部集約領域が互いに向かって移動し、それによって、上記第１半分の本体と上記第２半分の本体がアーチ状になると、上記呼吸保護装置は展開して空気室を形成する、展開可能な呼吸保護装置。
【請求項１０】
上記第１半分の本体と上記第２半分の本体の上記外周の底面上に配置された接着剤をさらに有する、請求項９に記載の展開可能な呼吸保護装置。
【請求項１１】
上記外周の一部に配置された接着剤の量は、上記外周の他の部分に配置された接着剤の量より多い、請求項１０に記載の展開可能な呼吸保護装置。
【請求項１２】
上記接着剤は感圧性接着材料である、請求項１０に記載の展開可能な呼吸保護装置。
【請求項１３】
上記第１半分の本体と上記第２半分の本体の底部上に密封層をさらに有し、該密封層は、上記呼吸保護装置によって形成される上記空気室の端部のほぼ全体を対象物に接着させる接着剤を含む、請求項９に記載の展開可能な呼吸保護装置。
【請求項１４】
上記凹型の切り込みはそれぞれ、一組の直線が一本の曲線につながれている、請求項９に記載の展開可能な呼吸保護装置。
【請求項１５】
上記横軸に対してほぼ垂直で、上記第１半分の本体および上記第２半分の本体を接続する上記辺の各中心によって定められる垂直軸に平行な中央折り部をさらに有する、請求項９に記載の展開可能な呼吸保護装置。
【請求項１６】
上記第１半分の本体における上記山折り部と上記谷折り部の配置は、上記第２半分の本体における上記山折り部と上記谷折り部の配置とほぼ対称的である、請求項９に記載の展開可能な呼吸保護装置。
【請求項１７】
折り畳み可能な呼吸保護装置であって、
アーチ状の状態にある第１セットの各部品および第２セットの各部品を有し、
上記第１セットおよび上記第２セットの各部品は各長辺で１つずつつながれて、空気室を形成し、２つの短辺でともに固定されており、
上記第１セットの最上部の部品の長辺のうち１つは上記第２セットの最上部の長辺のうち１つと融合しており、それによって、上記第１セットおよび上記第２セットは、上記第１セットおよび上記第２セットの各最上部のパネルを接続する上記長辺の２つの端によって定められる横軸の両側に位置しており、
上記第１セットおよび上記第２セットの隣接する各短辺が、ともに、２つの凹型の切り込みを、上記各長辺の２つの端のうちの１つにおいてそれぞれ形成し、
上記第１セットおよび上記第２セットの上記２つの短辺が互いに離れて上記第１セットおよび上記第２セットの上記各部品を平らにし、かつ、上記第１セットおよび上記第２セットの各中心が上記横軸に向かって放射状に動き、最終的に上記第１セットおよび上記第２セットの上記各部品がジグザグパターンで積み重ねられると、上記第１セットおよび上記第２セットは平らな状態へと変化し、上記呼吸保護装置は折り畳まれる、折り畳み可能な呼吸保護装置。
【請求項１８】
上記第１セットおよび上記第２セットの最下部の各部品上に、上記呼吸保護装置の外側の端部に沿って配置される接着剤をさらに有する、請求項１７に記載の折り畳み可能な呼吸保護装置。
【請求項１９】
上記呼吸保護装置の上記外側の端部の一部分に配置された接着剤の量は、該端部の他の部分に配置された接着剤の量より多い、請求項１８に記載の折り畳み可能な呼吸保護装置。
【請求項２０】
上記接着剤は感圧性接着材料である、請求項１８に記載の折り畳み可能な呼吸保護装置。
【請求項２１】
上記第１セットおよび上記第２セットの最下部の各部品上に密封層をさらに有し、該密封層は、上記呼吸保護装置によって形成される上記空気室の端部のほぼ全体を対象物に接着させる接着剤を含む、請求項１７に記載の折り畳み可能な呼吸保護装置。
【請求項２２】
上記凹型の切り込みはそれぞれ、一組の直線が一本の曲線につながれている、請求項１７に記載の折り畳み可能な呼吸保護装置。
【請求項２３】
上記横軸に対してほぼ垂直で、上記各部品すべての長辺の各中心によって定められる垂直軸に平行な中央折り部をさらに有する、請求項１７に記載の折り畳み可能な呼吸保護装置。
【請求項２４】
上記第１セットの上記ジグザグパターンは、上記第２セットの上記ジグザグパターンとほぼ対称的である、請求項１７に記載の折り畳み可能な呼吸保護装置。
【請求項２５】
上記第１セットおよび上記第２セットが、最初、平らな状態にある場合、
上記第１セットおよび上記第２セットの各中心が上記横軸から放射状に離れ、それによって、上記第１セットおよび上記第２セットの上記各部品が積み重ねられた状態から取り出され、一定の角度を成してつながり、かつ、上記第１セットおよび上記第２セットの上記各短辺が互いに向かって移動し、それによって上記各部品がアーチ状になると、上記呼吸保護装置は展開して、アーチ状の状態の上記空気室を形成する、請求項１７に記載の折り畳み可能な呼吸保護装置。
【請求項２６】
折り畳み可能な呼吸保護装置であって、
ほぼアーチ状の状態にあり、空気室を形成する第一半分の本体および第二半分の本体を有し、
上記第１半分の本体および上記第２半分の本体のそれぞれは、
外側に突き出る複数の山折り部と、
内側にへこむ複数の谷折り部と、
辺および外周と、を有し、
上記辺および上記外周は、ともに、対応する上記半分の本体を囲み、
上記外周は、２つの折り部集約領域を有し、上記各折り部が該折り部集約領域において閉じられかつ固定され、
上記第１半分の本体の上記辺が上記第２半分の本体の上記辺と融合し、それによって、上記第１半分の本体および上記第２半分の本体が、該第１半分の本体および該第２半分の本体を接続する上記辺の２つの端によって定められる横軸の両側に位置し、
上記第１半分の本体および上記第２半分の本体の有する隣接する折り部集約領域が、ともに、２つの凹型の切り込みを、上記各辺の２つの端のうち１つにおいてそれぞれ形成し、
上記第１半分の本体および上記第２半分の本体の上記隣接する折り部集約領域が互いから離れ、それによって第１半分の本体および第２半分の本体が上記横軸に向かって放射状に移動し平らになると、上記呼吸保護装置は平らな状態に変化し、折り畳まれる、折り畳み可能な呼吸保護装置。
【請求項２７】
上記第１半分の本体および上記第２半分の本体の外周の底面上に配置された接着剤をさらに有する、請求項２６に記載の折り畳み可能な呼吸保護装置。
【請求項２８】
上記外周の一部分に配置された接着剤の量は、上記外周の他の部分に配置された接着剤の量より多い、請求項２７に記載の折り畳み可能な呼吸保護装置。
【請求項２９】
上記接着剤は感圧性接着材料である、請求項２７に記載の折り畳み可能な呼吸保護装置。
【請求項３０】
上記第１半分の本体および上記第２半分の本体の底部上に密封層をさらに有し、該密封層は、上記呼吸保護装置によって形成される上記空気室の端部のほぼ全体を対象物に接着させる接着剤を含む、請求項２７に記載の折り畳み可能な呼吸保護装置。
【請求項３１】
上記凹型の切り込みはそれぞれ、一組の直線が一本の曲線につながれている、請求項２６に記載の折り畳み可能な呼吸保護装置。
【請求項３２】
上記横軸に対してほぼ垂直で、上記第１半分の本体および上記第２半分の本体を接続する上記辺の各中心によって定められる垂直軸に平行な中央折り部をさらに有する、請求項２６に記載の折り畳み可能な呼吸保護装置。
【請求項３３】
上記第１半分の本体の上記山折り部と上記谷折り部の配置は、上記第２半分の本体の上記山折り部と上記谷折り部の配置とほぼ対称的である、請求項２６に記載の折り畳み可能な呼吸保護装置。
【請求項３４】
上記第１半分の本体および上記第２半分の本体が、最初、平らな状態にある場合、
上記第１半分の本体の上記２つの折り部集約領域間の上記外周の一部分と、上記第２半分の本体の上記２つの折り部集約領域間の上記外周の一部分とが、上記横軸に垂直な方向に沿って互いから離れ、それによって、上記山折り部と上記谷折り部とが開き、上記山折り部と上記谷折り部の各中心が上記横軸から放射状に離れ、かつ、上記第１半分の本体および上記第２半分の本体の上記隣接する折り部集約領域が互いに向かって移動し、それによって、上記第１半分の本体と上記第２半分の本体がアーチ状になると、上記呼吸保護装置は展開してアーチ状の状態の上記空気室を形成する、請求項２６に記載の折り畳み可能な呼吸保護装置。
【請求項３５】
柔軟性のある呼吸保護装置であって、
柔軟性のある材料でできた本体と、
アーチ状の状態にある第１セットの各部品および第２セットの各部品と、
上記呼吸保護装置を対象物の２つの部位に接着させるため、上記本体の外側の端部に形成された接着剤と、を有し、
上記第１セットおよび上記第２セットそれぞれの各部品が、一つずつ長辺でつながれて空気室を形成し、２つの短辺でともに固定され、
上記第１セットの最上部の部品の長辺のうち１つが、上記第２セットの最上部の部品の長辺のうちの１つと融合し、それによって、上記第１セットおよび上記第２セットが、該第１セットおよび該第２セットの最上部の各パネルを接続する長辺の２つの端によって定められる横軸の両側に位置し、
上記第１セットおよび上記第２セットの隣接する短辺が、ともに、２つの凹型の切り込みを、上記長辺の２つの端のうち１つにそれぞれ形成し、
上記対象物の上記２つの部位が互いに対して動くとき、上記第１セットおよび上記第２セットは上記２つの部位の動きと連動して動き、上記第１セットおよび上記第２セットの隣接する２つの部品間の少なくとも１つの角が変化し、それによって、上記呼吸保護装置は上記対象物に接着し続ける、柔軟性のある呼吸保護装置。
【請求項３６】
上記接着剤が上記呼吸保護装置の上記外側の端部の全体に塗布される、請求項３５に記載の柔軟性のある呼吸保護装置。
【請求項３７】
上記呼吸保護装置の上記外側の端部の一部分に配置された上記接着剤の量は、上記外側の端部の他の部分に配置された上記接着剤の量より多い、請求項３５に記載の柔軟性のある呼吸保護装置。
【請求項３８】
上記接着剤は感圧性接着材料である、請求項３５に記載の柔軟性のある呼吸保護装置。
【請求項３９】
上記柔軟性のある材料は、上記本体の外周でともに密封された複数の通気層を含む、請求項３５に記載の柔軟性のある呼吸保護装置。
【請求項４０】
上記横軸に対してほぼ垂直で、上記第１セットおよび上記第２セットの長辺の各中心によって定められる垂直軸に平行な中央折り部をさらに有する、請求項３５に記載の柔軟性のある呼吸保護装置。
【請求項４１】
上記第１セットおよび上記第２セットの上記各部品の配置は、互いにほぼ対称的である、請求項３５に記載の柔軟性のある呼吸保護装置。
【請求項４２】
柔軟性のある呼吸保護装置であって、
柔らかな材料から作られ、ほぼアーチ形状である第１半分の本体および第２半分の本体を有して空気室を形成する本体と、
上記呼吸保護装置を対象物の２つの部位に接着させるため、上記本体の外側の端部に形成された接着剤と、を有し、
上記第１半分の本体および上記第２半分の本体は、
外側に突き出る複数の山折り部と、
内側にへこむ複数の谷折り部と、
辺と外周と、を有し、
上記山折り部と上記谷折り部は交互に配置され、
上記辺と上記外周は、ともに、対応する半分の本体を囲み、
上記外周は、２つの折り部集約領域を有し、上記折り部が該折り部集約領域で閉じられかつ固定され、
上記第１半分の本体の辺が上記第２半分の本体の辺と融合し、それによって、上記第１半分の本体と上記第２半分の本体とが、該第１半分の本体と該第２半分の本体を接続する辺の２つの端部によって定められる横軸の両側に位置し、
上記第１半分の本体および上記第２半分の本体の有する隣接する折り部集約領域が、ともに、２つの凹型の切り込みを、上記辺の２つの端のうち１つにおいてそれぞれ形成し、
上記対象物の上記２つの部位が互いに対して動くと、上記第１半分の本体と上記第２半分の本体は、上記２つの部位の動きに連動して動き、上記第１セットおよび上記第２セットの有する２つの隣接する折り部のあいだの少なくとも１つの角が変化して、それによって上記呼吸装置が上記対象物に接着し続ける、柔軟性のある呼吸保護装置。
【請求項４３】
上記横軸に対して垂直で、上記第１半分の本体および上記第２半分の本体を接続する辺の各中心によって定められる垂直軸に平行な中央折り部をさらに有する、請求項４２に記載の柔軟性のある呼吸保護装置。
【請求項４４】
上記第１半分の本体の上記山折り部と上記谷折り部の配置は、上記第２半分の本体の上記山折り部と上記谷折り部の配置とほぼ対称的である、請求項４２に記載の柔軟性のある呼吸保護装置。
【請求項４５】
呼吸保護装置であって、
１つのバリア層を有する本体と、
上記本体の外側の端部に塗布される、上記呼吸保護装置を対象物に接着させるための接着剤と、を有し、
上記バリア層の各短辺は、ともに、２つの凹型の切り込みを、該各短辺の１つにそれぞれ形成し、
上記本体は、第１セットのジグザグ折り部と第２セットのジグザグ折り部を、上記バリア層の２つの向かい合う長辺に形成し、上記第１セットおよび上記第２セットそれぞれの２つの端部を、上記バリア層の両短辺に対して閉じかつ固定することによって製造される、呼吸保護装置。
【請求項４６】
上記接着剤は、上記呼吸保護装置の上記外部の端部の全体に塗布される、請求項４５に記載の呼吸保護装置。
【請求項４７】
上記呼吸保護装置の上記外側の端部の一部分における上記接着剤の量は、上記外側の端部の他の部分における上記接着剤の量より多い、請求項４５に記載の呼吸保護装置。
【請求項４８】
上記接着剤は、非線形軌道であって、該軌道上に１つ以上の交差点を含む軌道に沿って塗布される、請求項４５に記載の呼吸保護装置。
【請求項４９】
上記接着剤は感圧性接着材料である、請求項４５に記載の呼吸保護装置。
【請求項５０】
上記凹型の切り込みはそれぞれ、一組の直線が一本の曲線につながれている、請求項４５に記載の呼吸保護装置。
【請求項５１】
上記第１セットの上記ジグザグ折り部は、上記第２セットの上記ジグザグ折り部とほぼ対称的である、請求項４５に記載の呼吸保護装置。
【請求項５２】
上記呼吸保護装置は、上記本体の上記第１セットおよび上記第２セットを垂直に横切って形成される中央折り部で折られる、請求項４５に記載の呼吸保護装置。
【請求項５３】
上記呼吸保護装置が上記中央折り部に沿って折られているとき上記接着剤が互いに接着するのを防ぐために、上記接着剤を覆う剥離ライナーをさらに有する、請求項４５に記載の呼吸保護装置。
【請求項５４】
呼吸保護装置を製造する方法であって、
１層のバリア層を提供する工程と、
上記バリア層の２つの向かい合う長辺に第１セットのジグザグ折り部と第２セットのジグザグ折り部とを形成する工程と、
上記第１セットおよび上記第２セットの２つの端部を、上記バリア層の２つの向かい合う短辺に固定して閉じる工程と、
上記バリア層の上記短辺を切断して、上記短辺のそれぞれに凹型の切り込みを形成する工程と、
上記呼吸保護装置が対象物に接着できるようにするために、接着剤を上記バリア層の外側の端部に塗布する工程と、を含む、方法。
【請求項５５】
上記接着剤は、上記呼吸保護装置の上記外側の端部の全体に塗布される、請求項５４に記載の呼吸保護装置を製造する方法。
【請求項５６】
上記呼吸保護装置の上記外側の端部の一部分における塗布された上記接着剤の量は、上記外側の端部の他の部分における上記接着剤の量より多い、請求項５４に記載の呼吸保護装置を製造する方法。
【請求項５７】
上記接着剤は、非線形軌道であって、該軌道上に１つ以上の交差点を含む軌道に沿って塗布される、請求項５４に記載の呼吸保護装置を製造する方法。
【請求項５８】
上記接着剤は感圧性接着材料である、請求項５４に記載の呼吸保護装置を製造する方法。
【請求項５９】
上記凹型の切り込みはそれぞれ、一組の直線が一本の曲線につながれている、請求項５４に記載の呼吸保護装置を製造する方法。
【請求項６０】
上記第１セットの上記ジグザグ折り部は、上記第２セットの上記ジグザグ折り部とほぼ対称的である、請求項５４に記載の呼吸保護装置を製造する方法。
【請求項６１】
上記呼吸保護装置を半分に折って上記接着剤が上記呼吸保護装置の内側に面するようにする工程と、
上記接着剤のあいだに剥離ライナーを置く工程と、をさらに含む、請求項５４に記載の呼吸保護装置を製造する方法。
【手続補正３】
【補正対象書類名】図面
【補正対象項目名】図９
【補正方法】変更
【補正の内容】
【図９】
2019526721.tif 000019
【国際調査報告】
2019526721.tif 000020
2019526721.tif 000021
2019526721.tif 000022
2019526721.tif 000023